(57)【要約】  無線通信システムにおいて、インフラストラクチャ機器は同期シーケンスを搬送する１以上の直交周波数分割多重（ＯＦＤＭ）シンボルと、無線アクセスインターフェースの物理ブロードキャストチャネルの情報を搬送する１以上の他のＯＦＤＭシンボルを含む同期信号ブロックを形成するように構成される。上記同期ブロックの１以上のＯＦＤＭシンボルはそれぞれ無線アクセスインターフェースのリソースエレメントの上記ＯＦＤＭシンボルの持続期間中に送信される複数の周波数領域サブキャリア信号によって構成される。上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成される。上記インフラストラクチャ機器は上記物理ブロードキャストチャネルによって提供されたブロードキャスト情報を受信するために上記１以上の無線通信デバイスに上記同期信号ブロックを送信するように構成される。無線通信ネットワークで動作する無線通信デバイスは、上記同期信号の上記同期シーケンスを搬送するＯＦＤＭシンボルのリソースエレメントと、上記物理ブロードキャストチャネル情報を搬送するＯＦＤＭシンボルで受信された上記復調参照シンボルの一方または両方を用いて、ブロードキャストチャネル情報を検出するための上記チャネル伝達関数の推定値を生成するように構成される。これにより、チャネル伝達関数の推定値が良好になるため、同期ブロックによって搬送された情報が正確に受信される可能性が高まり、同情報をより少ないリソースで搬送することができる。【選択図】図７
2020519163.tif 000002
【特許請求の範囲】
【請求項１】
無線通信ネットワークを介してデータを送受信する無線通信デバイスであって、前記無線通信デバイスは
無線アクセスインターフェースを介して前記無線通信ネットワークの無線ネットワーク部を構成するインフラストラクチャ機器に無線信号を送信するように構成された送信回路と、
前記無線アクセスインターフェースを介して前記インフラストラクチャ機器から送信された無線信号を受信するように構成された受信回路と、
前記無線信号によって搬送されたデータを前記インフラストラクチャ機器に送信し、前記無線信号によって搬送されたデータを前記インフラストラクチャ機器から受信するように前記送信回路と前記受信回路を制御するように構成された制御回路を含み、
前記制御回路は前記受信回路と共に
前記無線アクセスインターフェースを介して前記インフラストラクチャ機器によって送信された同期信号ブロックであって、同期シーケンスを搬送する１以上の直交周波数分割多重（ＯＦＤＭ）シンボルと、前記無線アクセスインターフェースの物理ブロードキャストチャネルの情報を搬送する１以上の他のＯＦＤＭシンボルを含む同期信号ブロックを検出し、
検出した前記同期信号ブロックが通過したチャネル伝達関数の推定値を生成し、
前記無線アクセスインターフェースの物理ブロードキャストチャネルの情報を搬送する１以上の他のＯＦＤＭシンボルを等化するため、推定された前記チャネル伝達関数を用いて前記物理ブロードキャストチャネル情報を復号するように構成され、
前記同期ブロックの各ＯＦＤＭシンボルは、前記ＯＦＤＭシンボルの持続期間中にそれぞれ前記無線アクセスインターフェースのリソースエレメントとして送信される複数の周波数領域サブキャリア信号によって構成され、前記同期信号ブロックの各ＯＦＤＭシンボルは同じサブキャリア間隔を有し、前記無線アクセスインターフェースの物理ブロードキャストチャネルの情報を搬送する１以上の他のＯＦＤＭシンボルはそれぞれ復調参照シンボルを含むように構成され、
前記受信回路は、前記同期信号の前記同期シーケンスを搬送するＯＦＤＭシンボルのリソースエレメントと、前記物理ブロードキャストチャネル情報を搬送するＯＦＤＭシンボルで受信された前記復調参照シンボルの一方または両方を用いて、前記チャネル伝達関数の推定値を生成するように構成される
無線通信デバイス。
【請求項２】
請求項１に記載の無線通信デバイスであって、
前記同期信号を搬送するＯＦＤＭシンボルと前記物理ブロードキャストチャネル情報を搬送する前記１以上のＯＦＤＭシンボルとが少なくとも部分的に前記周波数領域において重複し、それにより、同期信号を搬送するＯＦＤＭシンボルにおいて同期シーケンスにより変調されたサブキャリアと前記物理ブロードキャストチャネル情報を搬送する１以上のＯＦＤＭシンボルの１以上の重複部分の１以上の周波数領域を構成するために１以上のサブキャリアが同じ周波数で送信され、前記同期信号を搬送するＯＦＤＭシンボルにおいて前記同期シーケンスにより変調されたサブキャリアの周波数とは異なる周波数で１以上の非重複部分が送信される周波数領域を前記物理ブロードキャストチャネル情報を搬送する１以上のＯＦＤＭシンボルの１以上の他のサブキャリアが構成する
無線通信デバイス。
【請求項３】
請求項２に記載の無線通信デバイスであって、
前記物理ブロードキャストチャネル情報を搬送する１以上のＯＦＤＭシンボルの１以上の重複部分は復調参照シンボルを含まないが、前記１以上の非重複部分は前記物理ブロードキャストチャネル情報を搬送する１以上のＯＦＤＭシンボルによって搬送された前記復調参照シンボルを含み、前記受信回路は、前記１以上の重複部分に対応するサブキャリアのための前記同期信号を搬送するＯＦＤＭシンボルによって搬送された同期シーケンスから前記１以上の重複部分に対応するチャネル伝達関数の一部を推定し、前記物理ブロードキャストチャネル情報を搬送する１以上のＯＦＤＭシンボルによって搬送された復調参照シンボルから前記１以上の非重複部分に対応するチャネル伝達関数の一部を推定することによって、前記同期信号を搬送するＯＦＤＭシンボルで受信された同期シーケンスと前記物理ブロードキャストチャネル情報を搬送するＯＦＤＭシンボルの復調参照シンボルを用いて、前記チャネル伝達関数の推定値を生成するように構成される
無線通信デバイス。
【請求項４】
請求項２に記載の無線通信デバイスであって、
前記物理ブロードキャストチャネル情報を搬送する１以上のＯＦＤＭシンボルの１以上の重複部分と１以上の非重複部分は両方とも復調参照シンボルを含み、前記受信回路は、前記復調参照シンボルが前記物理ブロードキャストチャネル情報を搬送する１以上のＯＦＤＭシンボルの１以上の重複部分から受信されたか、１以上の非重複部分から受信されたかによってそれぞれ異なる前記復調参照シンボルを用いて前記チャネル伝達関数の推定値を生成するように構成される
無線通信デバイス。
【請求項５】
請求項４に記載の無線通信デバイスであって、
前記受信回路は、
前記１以上の重複部分に対応するサブキャリアのため、前記物理ブロードキャストチャネル情報を搬送する１以上のＯＦＤＭシンボルのうちの対応する１つのＯＦＤＭシンボルによって搬送された復調参照シンボルから生成されたチャネル伝達関数のサンプルと、前記同期信号を搬送するＯＦＤＭシンボルによって搬送された同期シーケンスから生成されたチャネル伝達関数のサンプルの間で時間補間を行うことにより前記１以上の重複部分に対応するチャネル伝達関数の一部を推定し、
前記物理ブロードキャストチャネル情報を搬送する１以上のＯＦＤＭシンボルのうちの対応する１つのＯＦＤＭシンボルの１以上の非重複部分によって搬送された復調参照シンボルから前記１以上の非重複部分に対応するチャネル伝達関数の一部を推定することによって、
前記同期信号を搬送するＯＦＤＭシンボルで受信した同期シーケンスを用い、前記物理ブロードキャストチャネル情報を搬送する１以上のＯＦＤＭシンボルによって搬送された復調参照シンボルから、前記物理ブロードキャストチャネル情報を搬送する１以上のＯＦＤＭシンボルのそれぞれに対して前記チャネル伝達関数の推定値を生成するように構成される
無線通信デバイス。
【請求項６】
請求項４に記載の無線通信デバイスであって、
前記復調参照シンボルは、前記物理ブロードキャストチャネル情報を搬送する１以上のＯＦＤＭシンボルのそれぞれにおいて前記１以上の重複部分と前記１以上の非重複部分で異なるように割り当てられる
無線通信デバイス。
【請求項７】
請求項６に記載の無線通信デバイスであって、
前記物理ブロードキャストチャネル情報を搬送するＯＦＤＭシンボルの１以上の非重複部分のサブキャリアに対する復調参照シンボルの数の比率は、前記１以上の重複部分のサブキャリアに対する復調参照シンボルの数の比率よりも大きい
無線通信デバイス。
【請求項８】
請求項７に記載の無線通信デバイスであって、
前記１以上の重複部分のサブキャリアに対する復調参照シンボルの数の比率は、前記物理ブロードキャストチャネル情報を搬送する１以上のＯＦＤＭシンボルのそれぞれと、前記同期信号を搬送するＯＦＤＭシンボルの時間近接度に依存し、前記物理ブロードキャストチャネル情報を搬送する直後のＯＦＤＭシンボルに関しては前記比率は低くなっている或いは０であり、それ以降の前記物理ブロードキャストチャネル情報を搬送するＯＦＤＭシンボルに関してはそれより大きくなる
無線通信デバイス。
【請求項９】
請求項１に記載の無線通信デバイスであって、
前記物理ブロードキャストチャネル情報は１以上の誤り訂正符号を用いて符号化され、前記重複部分のサブキャリアによって搬送された物理ブロードキャストチャネル情報に対して前記１以上の誤り訂正符号によって提供された冗長データの量は前記非重複部分のサブキャリアによって搬送されたものよりも少なく、前記受信回路は誤り訂正復号回路を含み、前記誤り訂正復号回路は符号化された前記物理ブロードキャストチャネル情報が前記１以上の重複部分の１以上のＯＦＤＭシンボルのサブキャリアによって搬送されたか、前記１以上の非重複部分の１以上のＯＦＤＭシンボルのサブキャリアによって搬送されたかによって符号化された前記物理ブロードキャストチャネル情報を異なるように復号するように構成される
無線通信デバイス。
【請求項１０】
請求項９に記載の無線通信デバイスであって、
前記１以上の誤り訂正符号は２つの誤り訂正符号を含み、前記２つの誤り訂正符号とは前記１以上のＯＦＤＭシンボルの１以上の重複部分にて搬送された物理ブロードキャストチャネル情報を符号化するために用いられた第１の誤り訂正符号と前記１以上のＯＦＤＭシンボルの１以上の非重複部分にて搬送された物理ブロードキャストチャネル情報を符号化するために用いられた第２の誤り訂正符号であり、１以上の重複部分に対する前記第１の誤り訂正符号の符号レートは前記１以上の非重複部分に対する前記第２の誤り訂正符号の符号レートよりも高い
無線通信デバイス。
【請求項１１】
請求項９に記載の無線通信デバイスであって、
前記物理ブロードキャストチャネル情報は優先度の異なる情報を含み、優先度の高い物理ブロードキャストチャネル情報は前記１以上のＯＦＤＭシンボルの１以上の重複部分のサブキャリアによって搬送される
無線通信デバイス。
【請求項１２】
請求項１に記載の無線通信デバイスであって、
前記同期ブロックは複数のアンテナを用いてビームとして送信され、前記ビームを形成するために使用されたベクトルは前記同期信号ＯＦＤＭシンボルと前記１以上の物理ブロードキャストチャネル情報ＯＦＤＭシンボルの両方のために使用されたベクトルと同一である
無線通信デバイス。
【請求項１３】
請求項１に記載の無線通信デバイスであって、
前記受信回路は、同期信号を搬送するＯＦＤＭシンボルで搬送された前記同期シーケンスを、複数の同期シーケンス候補の１つとして識別するように構成される
無線通信デバイス。
【請求項１４】
請求項１に記載の無線通信デバイスであって、
前記復調参照シンボルの第１のグループはシグナリング情報を搬送し、前記復調参照シンボルの第２のグループは既知のシーケンスを搬送し、前記既知のシーケンスは前記無線通信デバイスと前記インフラストラクチャ機器の両方にとって既知であり、前記復調参照シンボルの第１のグループは前記復調参照シンボルの第２のグループと異なる
無線通信デバイス。
【請求項１５】
請求項１４に記載の無線通信デバイスであって、
前記無線通信デバイスは、前記復調参照シンボルの第２のグループによって搬送された既知のシーケンスを用いて前記チャネル伝達関数の推定値を生成するように構成される
無線通信デバイス。
【請求項１６】
請求項１５に記載の無線通信デバイスであって、
前記無線通信デバイスは、前記既知のシーケンスを用いて推定された前記チャネル伝達関数の推定値を用いて前記復調参照シンボルの第１のグループによって搬送された前記シグナリング情報を復号するように構成される
無線通信デバイス。
【請求項１７】
請求項１４に記載の無線通信デバイスであって、
前記シグナリング情報は、検出した前記同期信号ブロックの基数を表す同期信号ブロック時間インデックスを含む
無線通信デバイス。
【請求項１８】
無線通信ネットワークを介して無線通信デバイスによってデータの送受信を行う方法であって、前記方法は
前記無線アクセスインターフェースを介してインフラストラクチャ機器によって送信された同期信号ブロックであって、同期シーケンスを搬送する１以上の直交周波数分割多重（ＯＦＤＭ）シンボルと、前記無線アクセスインターフェースの物理ブロードキャストチャネルの情報を搬送する１以上の他のＯＦＤＭシンボルを含む同期信号ブロックを検出し、
検出した前記同期信号ブロックが通過したチャネル伝達関数の推定値を生成し、
前記無線アクセスインターフェースの物理ブロードキャストチャネルの情報を搬送する１以上の他のＯＦＤＭシンボルを等化するため、推定された前記チャネル伝達関数を用いて前記物理ブロードキャストチャネル情報を復号することを含み、
前記同期ブロックの各ＯＦＤＭシンボルは前記ＯＦＤＭシンボルの持続期間中にそれぞれ前記無線アクセスインターフェースのリソースエレメントとして送信される複数の周波数領域サブキャリア信号によって構成され、前記同期信号ブロックの各ＯＦＤＭシンボルは同じサブキャリア間隔を有し、前記無線アクセスインターフェースの物理ブロードキャストチャネルの情報を搬送する１以上の他のＯＦＤＭシンボルはそれぞれ復調参照シンボルを含むように構成され、
チャネル伝達関数の推定値の生成することは、前記同期信号の前記同期シーケンスを搬送するＯＦＤＭシンボルのリソースエレメントと、前記物理ブロードキャストチャネル情報を搬送するＯＦＤＭシンボルで受信された前記復調参照シンボルの一方または両方を用いてチャネル伝達関数の推定値の生成することを含む
方法。
【請求項１９】
請求項１８に記載の方法であって、
前記同期信号を搬送するＯＦＤＭシンボルと前記物理ブロードキャストチャネル情報を搬送する前記１以上のＯＦＤＭシンボルとが少なくとも部分的に前記周波数領域において重複し、それにより、同期信号を搬送するＯＦＤＭシンボルにおいて同期シーケンスにより変調されたサブキャリアと前記物理ブロードキャストチャネル情報を搬送する１以上のＯＦＤＭシンボルの１以上の重複部分の１以上の周波数領域を構成するために１以上のサブキャリアが同じ周波数で送信され、前記同期信号を搬送するＯＦＤＭシンボルにおいて前記同期シーケンスにより変調されたサブキャリアの周波数とは異なる周波数で１以上の非重複部分が送信される周波数領域を前記物理ブロードキャストチャネル情報を搬送する１以上のＯＦＤＭシンボルの１以上の他のサブキャリアが構成する
方法。
【請求項２０】
請求項１９に記載の方法であって、
前記物理ブロードキャストチャネル情報を搬送する１以上のＯＦＤＭシンボルの１以上の重複部分は復調参照シンボルを含まないが、前記１以上の非重複部分は前記物理ブロードキャストチャネル情報を搬送する１以上のＯＦＤＭシンボルによって搬送された前記復調参照シンボルを含み、前記同期信号を搬送するＯＦＤＭシンボルで受信された同期シーケンスと前記物理ブロードキャストチャネル情報を搬送するＯＦＤＭシンボルの復調参照シンボルを用いて前記チャネル伝達関数の推定値を生成することは、
前記１以上の重複部分に対応するサブキャリアのための前記同期信号を搬送するＯＦＤＭシンボルによって搬送された同期シーケンスから前記１以上の重複部分に対応するチャネル伝達関数の一部を推定し、
前記物理ブロードキャストチャネル情報を搬送する１以上のＯＦＤＭシンボルによって搬送された復調参照シンボルから前記１以上の非重複部分に対応するチャネル伝達関数の一部を推定することを含む
方法。
【請求項２１】
請求項１９に記載の方法であって、
前記物理ブロードキャストチャネル情報を搬送する１以上のＯＦＤＭシンボルの１以上の重複部分と１以上の非重複部分は両方とも復調参照シンボルを含み、前記同期信号を搬送するＯＦＤＭシンボルで受信された同期シーケンスと前記物理ブロードキャストチャネル情報を搬送するＯＦＤＭシンボルの復調参照シンボルを用いて前記チャネル伝達関数の推定値を生成することは、前記復調参照シンボルが前記物理ブロードキャストチャネル情報を搬送する１以上のＯＦＤＭシンボルの１以上の重複部分から受信されたか、１以上の非重複部分から受信されたかによってそれぞれ異なる前記復調参照シンボルを用いて前記チャネル伝達関数の推定値を生成することを含む
方法。
【請求項２２】
請求項２１に記載の方法であって、
前記同期信号を搬送するＯＦＤＭシンボルで受信した同期シーケンスを用い、前記物理ブロードキャストチャネル情報を搬送する１以上のＯＦＤＭシンボルによって搬送された復調参照シンボルから、前記物理ブロードキャストチャネル情報を搬送する１以上のＯＦＤＭシンボルのそれぞれに対して前記チャネル伝達関数の推定値を生成することは、
前記１以上の重複部分に対応するサブキャリアのため、前記物理ブロードキャストチャネル情報を搬送する１以上のＯＦＤＭシンボルのうちの対応する１つのＯＦＤＭシンボルによって搬送された復調参照シンボルから生成されたチャネル伝達関数のサンプルと、前記同期信号を搬送するＯＦＤＭシンボルによって搬送された同期シーケンスから生成されたチャネル伝達関数のサンプルの間で時間補間を行うことにより前記１以上の重複部分に対応するチャネル伝達関数の一部を推定し、
前記物理ブロードキャストチャネル情報を搬送する１以上のＯＦＤＭシンボルのうちの対応する１つのＯＦＤＭシンボルの１以上の非重複部分によって搬送された復調参照シンボルから前記１以上の非重複部分に対応するチャネル伝達関数の一部を推定することを含む
方法。
【請求項２３】
請求項２１に記載の方法であって、
前記復調参照シンボルは、前記物理ブロードキャストチャネル情報を搬送する１以上のＯＦＤＭシンボルのそれぞれにおいて前記１以上の重複部分と前記１以上の非重複部分で異なるように割り当てられる
方法。
【請求項２４】
請求項１８に記載の方法であって、
前記復調参照シンボルの第１のグループはシグナリング情報を搬送し、前記復調参照シンボルの第２のグループは既知のシーケンスを搬送し、前記既知のシーケンスは前記無線通信デバイスと前記インフラストラクチャ機器の両方にとって既知であり、前記復調参照シンボルの第１のグループは前記復調参照シンボルの第２のグループと異なる
方法。
【請求項２５】
請求項２４に記載の方法であって、
前記復調参照シンボルの第２のグループによって搬送された既知のシーケンスを用いて前記チャネル伝達関数の推定値を生成することを含む
方法。
【請求項２６】
請求項２５に記載の方法であって、
前記既知のシーケンスを用いて推定された前記チャネル伝達関数の推定値を用いて前記復調参照シンボルの第１のグループによって搬送された前記シグナリング情報を復号することを含む
方法。
【請求項２７】
請求項２４に記載の方法であって、
前記シグナリング情報は、検出した前記同期信号ブロックの基数を表す同期信号ブロック時間インデックスを含む
方法。
【請求項２８】
無線通信ネットワークの無線ネットワーク部の一部を構成するインフラストラクチャ機器であって、前記インフラストラクチャ機器は
前記インフラストラクチャ機器によって構成された無線アクセスインターフェースを介して、１以上の無線通信デバイスに無線信号を送信するように構成された送信回路と、
前記無線アクセスインターフェースを介して前記１以上の無線通信デバイスから送信された無線信号を受信するように構成された受信回路と、
前記無線信号によって搬送されたデータを前記１以上の無線通信デバイスに送信し、前記無線信号によって搬送されたデータを前記１以上の無線通信デバイスから受信するように前記送信回路と前記受信回路を制御するように構成された制御回路を含み、
前記制御回路は前記送信回路と共に
同期シーケンスを搬送する１以上の直交周波数分割多重（ＯＦＤＭ）シンボルと、前記無線アクセスインターフェースの物理ブロードキャストチャネルの情報を搬送する１以上の他のＯＦＤＭシンボルを含む同期信号ブロックを形成し、
前記物理ブロードキャストチャネルによって提供されたブロードキャスト情報を受信するために前記１以上の無線通信デバイスに前記同期信号ブロックを送信するように構成され、
前記同期ブロックの各ＯＦＤＭシンボルは前記ＯＦＤＭシンボルの持続期間中に前記無線アクセスインターフェースのリソースエレメントで送信された複数の周波数領域サブキャリア信号によって構成され、前記同期信号ブロックの各ＯＦＤＭシンボルは同じサブキャリア間隔を有し、前記無線アクセスインターフェースの物理ブロードキャストチャネルの情報を搬送する１以上の他のＯＦＤＭシンボルはそれぞれ復調参照シンボルを含むように構成される
インフラストラクチャ機器。
【請求項２９】
請求項２８に記載のインフラストラクチャ機器であって、
前記同期信号を搬送するＯＦＤＭシンボルと前記物理ブロードキャストチャネル情報を搬送する前記１以上のＯＦＤＭシンボルとが少なくとも部分的に前記周波数領域において重複し、それにより、同期信号を搬送するＯＦＤＭシンボルにおいて同期シーケンスにより変調されたサブキャリアと前記物理ブロードキャストチャネル情報を搬送する１以上のＯＦＤＭシンボルの１以上の重複部分の１以上の周波数領域を構成するために１以上のサブキャリアが同じ周波数で送信され、前記同期信号を搬送するＯＦＤＭシンボルにおいて前記同期シーケンスにより変調されたサブキャリアの周波数とは異なる周波数で１以上の非重複部分が送信される周波数領域を前記物理ブロードキャストチャネル情報を搬送する１以上のＯＦＤＭシンボルの１以上の他のサブキャリアが構成する
インフラストラクチャ機器。
【請求項３０】
請求項２９に記載のインフラストラクチャ機器であって、
前記物理ブロードキャストチャネル情報を搬送する１以上のＯＦＤＭシンボルの１以上の重複部分は復調参照シンボルを含まないが、前記１以上の非重複部分は前記物理ブロードキャストチャネル情報を搬送する１以上のＯＦＤＭシンボルによって搬送された前記復調参照シンボルを含む
インフラストラクチャ機器。
【請求項３１】
請求項２９に記載のインフラストラクチャ機器であって、
前記物理ブロードキャストチャネル情報を搬送する１以上のＯＦＤＭシンボルの１以上の重複部分と１以上の非重複部分は両方とも復調参照シンボルを含む
インフラストラクチャ機器。
【請求項３２】
請求項３０に記載のインフラストラクチャ機器であって、
前記復調参照シンボルは、前記物理ブロードキャストチャネル情報を搬送する１以上のＯＦＤＭシンボルのそれぞれにおいて前記１以上の重複部分と前記１以上の非重複部分で異なるように割り当てられる
インフラストラクチャ機器。
【請求項３３】
請求項３２に記載のインフラストラクチャ機器であって、
前記物理ブロードキャストチャネル情報を搬送するＯＦＤＭシンボルの１以上の非重複部分のサブキャリアに対する復調参照シンボルの数の比率は、前記１以上の重複部分のサブキャリアに対する復調参照シンボルの数の比率よりも大きい
インフラストラクチャ機器。
【請求項３４】
請求項３３に記載のインフラストラクチャ機器であって、
前記１以上の重複部分のサブキャリアに対する復調参照シンボルの数の比率は前記物理ブロードキャストチャネル情報を搬送する１以上のＯＦＤＭシンボルのそれぞれと、前記同期信号を搬送するＯＦＤＭシンボルの時間近接度に依存し、前記物理ブロードキャストチャネル情報を搬送する直後のＯＦＤＭシンボルに関しては前記比率は低くなっている或いは０であり、それ以降の前記物理ブロードキャストチャネル情報を搬送するＯＦＤＭシンボルに関してはそれより大きくなる
インフラストラクチャ機器。
【請求項３５】
請求項２８に記載のインフラストラクチャ機器であって、
前記物理ブロードキャストチャネル情報は１以上の誤り訂正符号を用いて符号化され、前記重複部分のサブキャリアによって搬送された物理ブロードキャストチャネル情報に対して前記１以上の誤り訂正符号によって提供された冗長データの量は前記非重複部分のサブキャリアによって搬送されたものよりも少なく、前記受信回路は誤り訂正復号回路を含み、前記誤り訂正復号回路は符号化された前記物理ブロードキャストチャネル情報が前記１以上の重複部分の１以上のＯＦＤＭシンボルのサブキャリアによって搬送されたか、前記１以上の非重複部分の１以上のＯＦＤＭシンボルのサブキャリアによって搬送されたかによって符号化された前記物理ブロードキャストチャネル情報を異なるように復号するように構成される
インフラストラクチャ機器。
【請求項３６】
請求項３５に記載のインフラストラクチャ機器であって、
前記１以上の誤り訂正符号は２つの誤り訂正符号を含み、前記２つの誤り訂正符号とは前記１以上のＯＦＤＭシンボルの１以上の重複部分にて搬送された物理ブロードキャストチャネル情報を符号化するために用いられた第１の誤り訂正符号と前記１以上のＯＦＤＭシンボルの１以上の非重複部分にて搬送された物理ブロードキャストチャネル情報を符号化するために用いられた第２の誤り訂正符号であり、１以上の重複部分に対する前記第１の誤り訂正符号の符号レートは前記１以上の非重複部分に対する前記第２の誤り訂正符号の符号レートよりも高い
インフラストラクチャ機器。
【請求項３７】
請求項３６に記載のインフラストラクチャ機器であって、
前記物理ブロードキャストチャネル情報は優先度の異なる情報を含み、前記制御部は送信回路と共に前記１以上のＯＦＤＭシンボルの１以上の重複部分のサブキャリアによって搬送された優先度の高い情報を用いて前記物理ブロードキャストチャネル情報を搬送する１以上のＯＦＤＭシンボルを形成するように構成される
インフラストラクチャ機器。
【請求項３８】
請求項２８に記載のインフラストラクチャ機器であって、
前記送信回路はアンテナアレイを構成する複数のアンテナを含み、前記制御回路は前記送信回路と共に前記複数のアンテナを用いて前記同期ブロックをビームとして送信するように構成され、前記ビームを形成するために使用されたベクトルは前記同期信号ＯＦＤＭシンボルと前記１以上の物理ブロードキャストチャネル情報ＯＦＤＭシンボルの両方のために使用されたベクトルと同一である
インフラストラクチャ機器。
【請求項３９】
請求項２８に記載のインフラストラクチャ機器であって、
前記受信回路は、同期信号を搬送するＯＦＤＭシンボルで搬送された前記同期シーケンスを、複数の同期シーケンス候補の１つとして識別するように構成される
インフラストラクチャ機器。
【請求項４０】
請求項２８に記載のインフラストラクチャ機器であって、
前記復調参照シンボルの第１のグループはシグナリング情報を搬送し、前記復調参照シンボルの第２のグループは既知のシーケンスを搬送し、前記既知のシーケンスは前記１以上の無線通信デバイスと前記インフラストラクチャ機器の両方にとって既知であり、前記復調参照シンボルの第１のグループは前記復調参照シンボルの第２のグループと異なる
インフラストラクチャ機器。
【請求項４１】
請求項４０に記載のインフラストラクチャ機器であって、
前記シグナリング情報は、前記同期信号ブロックの基数を表す同期信号ブロック時間インデックスを含む
インフラストラクチャ機器。
【請求項４２】
無線通信ネットワークの無線ネットワーク部の一部を構成するためのインフラストラクチャ機器から情報を送信する方法であって、前記方法は
同期シーケンスを搬送する１以上の直交周波数分割多重（ＯＦＤＭ）シンボルと、無線アクセスインターフェースの物理ブロードキャストチャネルの情報を搬送する１以上の他のＯＦＤＭシンボルを含む同期信号ブロックを形成し、
前記物理ブロードキャストチャネルによって提供されたブロードキャスト情報を受信するために前記１以上の無線通信デバイスに前記同期信号ブロックを送信することを含み、
前記同期ブロックの各ＯＦＤＭシンボルは前記ＯＦＤＭシンボルの持続期間中に前記無線アクセスインターフェースのリソースエレメントにおいて送信された複数の周波数領域サブキャリア信号によって構成され、前記同期信号ブロックの各ＯＦＤＭシンボルは同じサブキャリア間隔を有し、前記無線アクセスインターフェースの物理ブロードキャストチャネルの情報を搬送する１以上の他のＯＦＤＭシンボルはそれぞれ復調参照シンボルを含むように構成される、
方法。
【請求項４３】
請求項４２に記載の方法であって、
前記同期信号を搬送するＯＦＤＭシンボルと前記物理ブロードキャストチャネル情報を搬送する前記１以上のＯＦＤＭシンボルとが少なくとも部分的に前記周波数領域において重複し、それにより、同期信号を搬送するＯＦＤＭシンボルにおいて同期シーケンスにより変調されたサブキャリアと前記物理ブロードキャストチャネル情報を搬送する１以上のＯＦＤＭシンボルの１以上の重複部分の１以上の周波数領域を構成するために１以上のサブキャリアが同じ周波数で送信され、前記同期信号を搬送するＯＦＤＭシンボルにおいて前記同期シーケンスにより変調されたサブキャリアの周波数とは異なる周波数で１以上の非重複部分が送信される周波数領域を前記物理ブロードキャストチャネル情報を搬送する１以上のＯＦＤＭシンボルの１以上の他のサブキャリアが構成する
方法。
【請求項４４】
請求項４３に記載の方法であって、
前記物理ブロードキャストチャネル情報を搬送する１以上のＯＦＤＭシンボルの１以上の重複部分は復調参照シンボルを含まないが、前記１以上の非重複部分は前記物理ブロードキャストチャネル情報を搬送する１以上のＯＦＤＭシンボルによって搬送された前記復調参照シンボルを含む
方法。
【請求項４５】
請求項４３に記載の方法であって、
前記物理ブロードキャストチャネル情報を搬送する１以上のＯＦＤＭシンボルの１以上の重複部分と１以上の非重複部分は両方とも復調参照シンボルを含む
方法。
【請求項４６】
請求項４３に記載の方法であって、
前記復調参照シンボルは、前記物理ブロードキャストチャネル情報を搬送する１以上のＯＦＤＭシンボルのそれぞれにおいて前記１以上の重複部分と前記１以上の非重複部分で異なるように割り当てられる
方法。
【請求項４７】
請求項４２に記載の方法であって、
前記復調参照シンボルの第１のグループはシグナリング情報を搬送し、前記復調参照シンボルの第２のグループは既知のシーケンスを搬送し、前記既知のシーケンスは前記１以上の無線通信デバイスと前記インフラストラクチャ機器の両方にとって既知であり、前記復調参照シンボルの第１のグループは前記復調参照シンボルの第２のグループと異なる
方法。
【請求項４８】
請求項４７に記載の方法であって、
前記シグナリング情報は、前記同期信号ブロックの基数を表す同期信号ブロック時間インデックスを含む
方法。
【請求項４９】
ユーザ機器回路であって、前記ユーザ機器回路は
無線アクセスインターフェースを介して無線通信ネットワークの無線ネットワーク部を構成するインフラストラクチャ機器に無線信号を送信するように構成された送信回路と、
前記無線アクセスインターフェースを介して前記インフラストラクチャ機器から送信された無線信号を受信するように構成された受信回路と、
前記無線信号によって搬送されたデータを前記インフラストラクチャ機器に送信し、前記無線信号によって搬送されたデータを前記インフラストラクチャ機器から受信するように前記送信回路と前記受信回路を制御するように構成された制御回路を含み、
前記制御回路は前記受信回路と共に
前記無線アクセスインターフェースを介して前記インフラストラクチャ機器によって送信された同期信号ブロックであって、同期シーケンスを搬送する１以上の直交周波数分割多重（ＯＦＤＭ）シンボルと、前記無線アクセスインターフェースの物理ブロードキャストチャネルの情報を搬送する１以上の他のＯＦＤＭシンボルを含む同期信号ブロックを検出し、
検出した前記同期信号ブロックが通過したチャネル伝達関数の推定値を生成し、
前記無線アクセスインターフェースの物理ブロードキャストチャネルの情報を搬送する１以上の他のＯＦＤＭシンボルを等化するため、推定された前記チャネル伝達関数を用いて前記物理ブロードキャストチャネル情報を復号するように構成され、
前記同期ブロックの各ＯＦＤＭシンボルは前記ＯＦＤＭシンボルの持続期間中にそれぞれ前記無線アクセスインターフェースのリソースエレメントとして送信される複数の周波数領域サブキャリア信号によって構成され、前記同期信号ブロックの各ＯＦＤＭシンボルは同じサブキャリア間隔を有し、前記無線アクセスインターフェースの物理ブロードキャストチャネルの情報を搬送する１以上の他のＯＦＤＭシンボルはそれぞれ復調参照シンボルを含むように構成され、
前記受信回路は、前記同期信号の前記同期シーケンスを搬送するＯＦＤＭシンボルのリソースエレメントと、前記物理ブロードキャストチャネル情報を搬送するＯＦＤＭシンボルで受信された前記復調参照シンボルの一方または両方を用いて、前記チャネル伝達関数の推定値を生成するように構成される
ユーザ機器回路。
【請求項５０】
無線通信ネットワークを介してデータの送受信を行う無線通信デバイスであって、前記無線通信デバイスは、
無線アクセスインターフェースを介して前記無線通信ネットワークの無線ネットワーク部を構成するインフラストラクチャ機器に無線信号を送信するように構成された送信回路と、
前記無線アクセスインターフェースを介して前記インフラストラクチャ機器から送信された無線信号を受信するように構成された受信回路と、
前記無線信号によって搬送されたデータを前記インフラストラクチャ機器に送信し、前記無線信号によって搬送されたデータを前記インフラストラクチャ機器から受信するように前記送信回路と前記受信回路を制御するように構成された制御回路を含み、
前記制御回路は前記受信回路と共に
前記無線アクセスインターフェースを介して前記インフラストラクチャ機器によって送信された同期信号ブロックであって、同期シーケンスを搬送する１以上の直交周波数分割多重（ＯＦＤＭ）シンボルと、前記無線アクセスインターフェースの物理ブロードキャストチャネルの情報を搬送する１以上の他のＯＦＤＭシンボルを含む同期信号ブロックを検出し、
復調参照シンボルの第２のグループによって搬送された既知のシーケンスを用いて検出した前記同期信号ブロックが通過したチャネル伝達関数の推定値を生成し、
前記チャネル伝達関数の第１の推定値を用いて復調参照シンボルの第１のグループを復調し、
前記物理ブロードキャストチャネル情報を搬送するＯＦＤＭシンボルで受信された前記復調参照シンボルの第１のグループと前記復調参照信号の第２のグループと前記同期信号の同期シーケンスを搬送するＯＦＤＭシンボルのリソースエレメントを用いて前記チャネル伝達関数の第２の推定値を生成し、
前記無線アクセスインターフェースの物理ブロードキャストチャネルの情報を搬送する１以上の他のＯＦＤＭシンボルを等化するため、推定された前記チャネル伝達関数を用いて前記物理ブロードキャストチャネル情報を復号するように構成され、
前記同期ブロックの各ＯＦＤＭシンボルは前記ＯＦＤＭシンボルの持続期間中にそれぞれ前記無線アクセスインターフェースのリソースエレメントとして送信される複数の周波数領域サブキャリア信号によって構成され、前記同期信号ブロックの各ＯＦＤＭシンボルは同じサブキャリア間隔を有し、前記無線アクセスインターフェースの物理ブロードキャストチャネルの情報を搬送する１以上の他のＯＦＤＭシンボルはそれぞれシグナリング情報を搬送する復調参照シンボルの第１のグループと既知のシーケンスを搬送する復調参照シンボルの第２のグループを含むように構成され、前記既知のシーケンスは前記無線通信デバイスと前記インフラストラクチャ機器の両方にとって既知であり、前記復調参照シンボルの第１のグループは前記復調参照シンボルの第２のグループと異なる
無線通信デバイス。
【発明の詳細な説明】
【技術分野】
【０００１】
本出願は、２０１７年５月５日出願のＥＰ特許出願番号１７１６９８３４．３および２０１７年６月１６日出願のＥＰ特許出願番号１７１７６４４６．７の優先権の恩典を主張し、両出願の全内容はその全体が参照により本明細書に組み込まれるものとする。
【背景技術】
【０００２】
本開示は、無線アクセスインターフェースを介して無線通信ネットワークとデータの送受信を行い、無線通信デバイスにブロードキャスト送信またはユニキャスト送信された情報を検出し、データの受信を容易にするように構成された無線通信デバイスに関する。また、本技術は、無線通信ネットワークの一部を構成するインフラストラクチャ機器と、送信部と受信部に関する。
【０００３】
本明細書に記載する背景技術の説明は、本開示がどのような文脈で為されたかの概要を説明する目的で記載するものである。本発明の発明者として名前を挙げているものの研究内容は、この背景技術のセクションに記載されている限りにおいて、出願時に先行技術と認められない部分と同様に、本発明に対する先行技術として明示的にも暗示的にも認めるものではない。
【０００４】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）定義のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｔａｎｄａｒｄ）およびＬＴＥ（Ｌｏｎｇ  Ｔｅｒｍ  Ｅｖｏｌｕｔｉｏｎ）アーキテクチャに基づくシステムのような第３および第４世代モバイル遠距離通信システムは、前世代のモバイル遠距離通信システムによって提供される単なる音声サービスおよびメッセージングサービスよりも高度なサービスをサポートすることができる。例えば、ＬＴＥシステムによって提供される改良された無線インターフェースおよび拡張データレートによって、ユーザは、以前は固定回線データ接続を介してのみ利用可能であったモバイルビデオストリーミングやモバイルビデオ会議といった高データレートのアプリケーションを享受することができる。そのため、第３および第４世代ネットワーク展開への要望は強く、これらのネットワークのカバレージエリア、即ちネットワークへのアクセスが可能な地理的な場所は、急速に増加するものと予想される。しかし、第４世代ネットワークがスマートフォンやタブレットコンピュータ等のデバイスとの高データレートかつ低遅延での通信をサポート可能であっても、今後無線通信ネットワークは、例えば複雑さを軽減したデバイスや、マシン型通信デバイス、高解像度のビデオディスプレイ、バーチャルリアリティヘッドセット等の広い範囲のデータ通信機能に関するより幅広いデバイスとの通信を効果的にサポートすることが求められる。これらの異なるタイプのデバイスのいくつかは、非常に多数の、例えば、「Ｉｎｔｅｒｎｅｔ  ｏｆ  Ｔｈｉｎｇｓ」（ＩｏＴ）をサポートするための低複雑性デバイスで展開されてもよく、典型的には、比較的高いレイテンシ許容範囲を有する比較的少量のデータの送信に関連してもよい。一方、他のタイプのデバイス、例えば、高精細度ビデオストリーミングをサポートするデバイスは、比較的低いレイテンシ許容範囲を有する比較的大量のデータの送信に関連してもよい。
【０００５】
したがって、５Ｇまたはｎｅｗ  ｒａｄｉｏ  ａｃｃｅｓｓ技術（ｎｅｗ  ＲＡＴや、略してＮＲとも称される）と称される今後の無線通信ネットワークは、それぞれ異なる特徴的なデータ搬送機能を有する異なるアプリケーションに関連付けられた広範囲の装置のための効率的な接続性をサポートすることが望まれており、その結果、異なる装置が異なる動作特性および／または要件を有するようになる。したがって、ｎｅｗ  ｒａｄｉｏ  ａｃｃｅｓｓ技術（ＲＡＴ）システム／ネットワークの導入は、新たな機会ともに新たな課題も生む。
【先行技術文献】
【特許文献】
【０００６】
【非特許文献１】ＬＴＥ  ｆｏｒ  ＵＭＴＳ：ＯＦＤＭＡ  ａｎｄ  ＳＣ−ＦＤＭＡ  Ｂａｓｅｄ  Ｒａｄｉｏ  Ａｃｃｅｓｓ，  Ｈａｒｒｉｓ  Ｈｏｌｍａ  ａｎｄ  Ａｎｔｔｉ  Ｔｏｓｋａｌａ，  Ｗｉｌｅｙ  ２００９，  ＩＳＢＮ  ９７８−０−４７０−９９４０１−６
【非特許文献２】ＲＰ−１５１６２１，  "Ｎｅｗ  Ｗｏｒｋ  Ｉｔｅｍ：ＮａｒｒｏｗＢａｎｄ  ＩＯＴ  ＮＢ−ＩＯＴ，"  Ｑｕａｌｃｏｍｍ，  ＲＡＮ＃６９
【非特許文献３】ＲＰ−１７０８４７，  "Ｎｅｗ  ＷＩＤ  ｏｎ  Ｎｅｗ  Ｒａｄｉｏ  Ａｃｃｅｓｓ  Ｔｅｃｈｎｏｌｏｇｙ，"  ＮＴＴ  ＤＯＣＯＭＯ，  ＲＡＮ＃７５
【発明の概要】
【０００７】
本開示の各態様および特徴は、添付の特許請求の範囲において定義される。
本技術によると、無線通信システムにおいて、無線通信ネットワークの無線アクセスネットワークの一部を構成するインフラストラクチャ機器が提供される。このインフラストラクチャ機器は同期シーケンスを搬送する１以上の直交周波数分割多重（ＯＦＤＭ）シンボルと、無線アクセスインターフェースの物理ブロードキャストチャネルの情報を搬送する１以上の他のＯＦＤＭシンボルを含む同期信号ブロックを形成するように構成される。上記同期ブロックの１以上のＯＦＤＭシンボルはそれぞれ無線アクセスインターフェースのリソースエレメントを構成する上記ＯＦＤＭシンボルの持続期間中に送信される複数の周波数領域サブキャリア信号によって構成される。上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成される。上記インフラストラクチャ機器は上記物理ブロードキャストチャネルによって提供されたブロードキャスト情報を受信するために上記１以上の無線通信デバイスに上記同期信号ブロックを送信するように構成される。無線通信ネットワークで動作する無線通信デバイスは、上記同期信号の上記同期シーケンスを搬送するＯＦＤＭシンボルのリソースエレメントと、上記物理ブロードキャストチャネル情報を搬送するＯＦＤＭシンボルで受信された上記復調参照シンボルの一方または両方を用いて、ブロードキャストチャネル情報を検出するための上記チャネル伝達関数の推定値を生成するように構成される。これにより、チャネル伝達関数の推定値が良好になるため、同期ブロックによって搬送された情報が正確に受信される可能性が高まり、同情報をより少ないリソースで搬送することができる。
【０００８】
なお、上述の概略的な説明および以降の詳細な説明は、本技術の一例であり、これらに限定されるものではない。本開示の実施形態は、更なる利点とともに、添付の図面と併せて以下の詳細な説明を参照することによって理解される。
【図面の簡単な説明】
【０００９】
添付の図面と併せて検討される以下の詳細な記載を参照することにより、記載する実施形態は更なる利点と共に最も良好に理解される。図面全体を通して、同様の参照番号は同様の要素を示す。
【００１０】
【図１】従来のＬＴＥの規格に基づいた現在の無線通信ネットワークの構成の例を示す概略的なブロック図である。
【図２】拡張ｎｅｗ  ｒａｄｉｏ（ＮＲ）または５Ｇネットワークの例に従って構成された無線通信ネットワークの例を示す概略的なブロック図である。
【図３】基地局、ｇＮｏｄｅＢ、またはＴＲＰによって送信された同期ブロックが最初に通信デバイスによって検出される構成を示す概略図である。ＮＲのために提案された、１次および２次同期信号と物理ブロードキャストチャネルを含む同期ブロックの送信を示す説明図である。
【図４】図３ａと図３ｂに示す同期信号ブロックの、１次同期信号と、２次同期信号と、物理ブロードキャストチャネルを搬送するシステム情報シグナリング形成部の概略図である。
【図５】１次同期信号と、２次同期信号と、物理ブロードキャストチャネル信号を送信するＯＦＤＭシンボルを含む同期ブロックであって、物理ブロードキャストチャネル信号の帯域幅が１次および２次同期信号よりも広い同期ブロックを示す概略図である。
【図６】本技術の一実施形態に係る物理ブロードキャストチャネルＯＦＤＭシンボルと、同期信号の周波数と重複する物理ブロードキャストチャネルＯＦＤＭシンボルの周波数領域内のとある領域が参照シンボルを含まない２次同期ＯＦＤＭシンボルの例を示す概略図である。
【図７】物理ブロードキャストチャネル（ＰＢＣＨ）情報を搬送するＯＦＤＭシンボルと、同期ＯＦＤＭシンボルの周波数と重複するＯＦＤＭ  ＰＢＣＨシンボルの周波数の領域がＯＦＤＭ同期信号と重複しない周波数とは異なる配置の参照シンボルを含む同期信号を搬送するＯＦＤＭシンボルの概略図である。
【図８】物理ブロードキャストチャネル（ＰＢＣＨ）情報を搬送する３つのＯＦＤＭシンボルと、同期信号を搬送する１つのＯＦＤＭシンボルを含む同期信号ブロックの他の例を示す概略図である。
【図９】図１、２、または３に示す基地局の一部を構成し得る送信部の構成を示す概略的なブロック図である。
【図１０】無線通信デバイスの一部を構成し得る受信部であって、本技術の一実施形態に係る物理ブロードキャストチャネル等から情報を検出して復元するための受信部を示す概略的なブロック図である。
【図１１】物理ブロードキャストチャネル（ＰＢＣＨ）情報を搬送する３つのＯＦＤＭシンボルと、同期信号を搬送する１つのＯＦＤＭシンボルを含む同期信号ブロックの他の例を示す概略図である。
【発明を実施するための形態】
【００１１】
＜ＬＴＥ技術（４Ｇ）＞
図１は、以下に記載する本開示の実施形態を実施するように構成された、ＬＴＥの原理に基づいて動作するモバイル遠距離通信ネットワーク／システムのいくつかの基本的な機能を示す概略図である。図１の様々なエレメントおよび各動作モードは公知であり、３ＧＰＰ（ＲＴＭ）団体によって定義されている関連規格において定義されており、例えばＨｏｌｍａ、  Ｈ．  ａｎｄ  Ｔｏｓｋａｌａ  Ａ．（非特許文献１）のように、この内容について多くの書籍に記載されている。
【００１２】
ネットワーク１００はコアネットワーク１０２に接続する複数の基地局１０１を含む。各基地局は、カバレージエリア１０３（すなわちセル）を提供する。このカバレ−ジエリア１０３内では、通信デバイス１０４とのデータのやりとりが可能である。データは、基地局１０１から、それぞれのカバレージエリア１０３内の通信デバイス１０４に、無線ダウンリンクを介して送信される。データは、無線アップリンクを介して通信デバイス１０４から基地局１０１に送信される。アップリンクおよびダウンリンク通信は、ネットワーク１００のオペレータ専用にライセンスされた無線リソースを使用して行われる。コアネットワーク１０２は、それぞれの基地局１０１を介して通信デバイス１０４との間でデータのルーティングを行い、認証、モビリティ管理、課金などといった機能を提供する。
【００１３】
３ＧＰＰ定義のＬＴＥ（Ｌｏｎｇ  Ｔｅｒｍ  Ｅｖｏｌｕｔｉｏｎ）アーキテクチャに従って構成されたシステム等の無線通信システムは、無線ダウンリンクのための直交周波数分割変調（ＯＦＤＭ）ベースのインターフェース（いわゆるＯＦＤＭＡ）、および無線アップリンク上でＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ  ｓｃｈｅｍｅ）を使用する。
＜Ｎｅｗ  Ｒａｄｉｏ  Ａｃｃｅｓｓ技術（５Ｇ）＞
【００１４】
上記に記載のように、本発明の実施形態は５ＧまたはＮｅｗ  Ｒａｄｉｏ（ＮＲ）  Ａｃｃｅｓｓ技術と呼ばれるアドバンスト無線通信システムに適用することができる。Ｎｅｗ  Ｒａｄｉｏ  Ａｃｃｅｓｓ技術（ＲＡＴ）は、次世代無線通信システム、すなわち５Ｇ用のＮｅｗ  ＲＡＴを開発するために非特許文献２において提案されている。３ＧＰＰでは、Ｎｅｗ  ＲＡＴを研究開発するために、ＮＲに関するスタディーアイテム（ＳＩ）が合意された（非特許文献３参照）。Ｎｅｗ  ＲＡＴは、数百ＭＨｚから１００ＧＨｚまでの広い周波数範囲で動作することが期待され、広い範囲のユースケースをカバーすることが期待される。上記ＳＩにおいて検討されたユースケースは以下のものを含む。
・エンハンスドモバイルブロードバンド（ｅｎｈａｎｃｅｄ  ｍｏｂｉｌｅ  ｂｒｏａｄｂａｎｄ：ｅＭＢＢ）
・大規模マシンタイプ通信（Ｍａｓｓｉｖｅ  Ｍａｃｈｉｎｅ  Ｔｙｐｅ  Ｃｏｍｍｕｎｉｃａｔｉｏｎｓ：ｍＭＴＣ）
・超高信頼低遅延通信（Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎｓ：ＵＲＬＬＣ）
【００１５】
５Ｇの目的は、人々にモバイル接続性を提供するだけでなく、接続されることで恩恵を受けるあらゆる種類のデバイスやあらゆる種類のアプリケーションにユビキタス接続性を提供することにある。多くの要件とユースケースに関していまだ議論をしている最中だが、その中には次のようなものがある。
・低遅延
・高データレート
・ミリ波スペクトルの使用
・高密度のネットワークノード（例えば小さなセルにおけるリレーノード）
・大容量システム
・大量のデバイス（例えばＭＴＣデバイス／ＩｏＴ（Ｉｎｔｅｒｎｅｔ  ｏｆ  Ｔｈｉｎｇｓ）デバイス）
・高信頼（例えば自動運転車等の車の安全のためのアプリケーション等）
・低デバイスコストと低エネルギー消費
・フレキシブルなスペクトル使用
・フレキシブルモビリティ
【００１６】
図２は、ｎｅｗ  ｒａｄｉｏ（ＮＲ）および５Ｇのために提案された技術を用いた無線通信ネットワークの構成の例を示す。図２において、複数の送受信ポイント（ＴＲＰ）２１０は線２０３で示される接続インターフェースによって分散制御ユニット（ＤＵ）２２０、２３０に接続される。各送受信ポイント（ＴＲＰ）２１０は無線通信ネットワークが利用可能な無線周波数帯域幅において無線アクセスインターフェースを介して信号を送受信するように構成される。従って、無線アクセスインターフェースを介して無線通信が可能な範囲の中で、各ＴＲＰ２１０は破線２０８によって示される無線通信ネットワークのセルを構成する。このようなセル２１０によって提供される無線通信範囲内の無線通信デバイス１０４は、無線アクセスインターフェースを介してＴＲＰ２１０と信号の送受信を行うことができる。各分散制御ユニット２２０、２３０はインターフェース２１６を介してコーディネーティングユニット（ＣＵ）２１４に接続される。そして、ＣＵ２１４はコアネットワーク２１７に接続される。コアネットワーク２１７は、無線通信デバイスとのデータ通信に必要なすべての他の機能を含み、他のネットワーク２１８に接続され得る。
【００１７】
図２に示す無線アクセスネットワークのエレメントは、図１に示すようなＬＴＥネットワークの対応するエレメントと同様に動作し得る。当然、以下で具体的には説明されない（例えば特定の通信プロトコルや異なるエレメント間での通信のための物理チャネルに関する）、図２に示す遠距離通信ネットワークや本明細書において記載される本開示の実施形態に係る他のネットワークの動作的態様は、任意の公知の技法に従って、例えば、関連する規格などの、無線遠距離通信システムの上記のような動作的態様を実施するために現在用いられている手法に従って実装され得る。
【００１８】
図２に示すＴＲＰ２１０は部分的に、ＬＴＥネットワークのｅＮｏｄｅＢ１０１や基地局に対応する機能を有しており、以下の説明において、ＴＲＰ、ｅＮｏｄｅＢ、ｇＮｏｄｅＢの用語はそれぞれ同義で使用され得る。無線ネットワークインフラストラクチャ機器の例である基地局は、送受信局／ＮｏｄｅＢ／ｅＮｏｄｅＢ（ｅＮＢ）／ｇＮｏｄｅＢ（ｇＮＢ）等と称することもできる。同様に、通信デバイス１０４もＬＴＥネットワークにおいて機能する既知のデバイスに対応する機能を含み得る。また、通信デバイス１０４は、移動局、ユーザ機器（ＵＥ）、ユーザ端末、端末デバイス、移動無線機、通信デバイス等と称することもできる。従って、当然、（例えば特定の通信プロトコルや異なるエレメント間での通信のための物理チャネルに関する）ｎｅｗ  ＲＡＴネットワークの動作的態様は、ＬＴＥや他の既知のモバイル遠距離通信規格とは異なっていてもよい。しかし、当然、ｎｅｗ  ＲＡＴネットワークの各コアネットワーク要素、基地局、および端末デバイスはそれぞれＬＴＥ無線通信ネットワークのコアネットワーク要素、基地局、および端末デバイスと機能的に類似する。
【００１９】
したがって、ＵＥおよび基地局／ＴＲＰ／ｅＮｏｄｅＢ／ｇＮｏｄｅＢは両方とも、無線周波数フィルタや回路、ＡＳＩＣまたはプログラマブルコントローラとして実装された制御ロジックや信号処理ハードを用いて実装されてもよい。
【００２０】
図３ａに示すように、ＵＥ１０４が無線通信ネットワークに対して初めてアクセスを試みる際、複数の基地局（ＴＲＰやｇＮｏｄｅＢ）２１０のうちの１つによってブロードキャスト送信された情報を検出する。一例によれば、ｇＮｏｄｅＢ２１０は、アンテナアレイを形成する複数のアンテナを含み、公知の技術を使用して、ｇＮｏｄｅＢから送信された信号をビーム３２０として形成することができる。ビーム３２０は、ＵＥ１０４によって検出される同期信号ブロック３３２を送信する。一例によれば、同期信号ブロック３２２は、１次および２次同期信号と、物理ブロードキャストチャネル（ＰＢＣＨ）で搬送されたブロードキャストシステム情報を含む。
【００２１】
ＮＲネットワークにアクセスするウェイクアップ状態のどのＵＥも、時刻、周波数、フレーム同期およびセクタ、グループ、セル識別情報を入手するために１次および２次同期信号（ＰＳＳおよびＳＳＳ）を検出することが期待されている。ＵＥとｇＮｏｄｅＢの両方において複数のアンテナを使用することで、無線通信システムがサポート可能なトラフィック密度やスペクトル効率を向上させるためにビームフォーミングを用いることが可能になる。ＵＥがこれらのビームとそれぞれに別々に同期することができるという要件は、ｇＮｏｄｅＢが、自身が形成する各ビームに対して別々の同期信号および１以上のＰＢＣＨ  ＯＦＤＭシンボルを送信できることを意味する。このような別々の同期信号（ＳＳＳとＰＳＳ）によって、いくつかの例において、ＰＳＳ、ＳＳＳ、およびＰＢＳＨを含む同期信号ブロックやバーストの概念を導くことができる（通常、１つの同期信号ブロックは１つのビームに適用される）。同期信号バーストは複数の同期信号ブロックを含む。同期信号バースト内の各同期信号ブロックはそれぞれ異なるビームに適用することができる。そして、同期信号バーストセットは複数の同期信号バーストを含む。特定のビームのための同期信号ブロックは、ＵＥによって同期信号バーストセット内の同期信号バースト間で組み合わせることができる。所定のｇＮｏｄｅＢから、一定の間隔で同期信号バーストセットが繰り返される。この同期信号バーストセットはネットワークに参加する新たなＵＥによって使用され、このＵＥがダウンリンクセル測定や他の手順を行うことを可能にする。図３ｂに示す例では、１つの同期信号バースト３０２は３つの同期信号ブロック３０４（それぞれＰＳＳ３０６、ＳＳＳ３０８、ＰＢＣＨ３１０を含む）を含む。つまり、それぞれの同期信号バーストに対して３つの異なるビームが存在する。この例において、同期信号バーストセット３０１は３つの同期信号バースト３０２を含み、この同期信号バーストセット３０１が繰り返される。当然、各同期信号バースト３０２ごとに他の数の同期信号ブロック３０４を用いることも可能であり、各同期信号バーストセト３０４ごとの同期信号バースト３０２の数はそれぞれ異なっていてもよい。図３は一例にすぎない。
【００２２】
ＰＳＳとＳＳＳの取得後、ＵＥは物理ブロードキャストチャネル（ＰＢＣＨ）を検出し、復号することができる。ＰＢＣＨはＵＥに対して、基幹システムと特定の要素キャリアおよび／またはビームの構成情報を提供する。この基幹システムと構成情報は「マスター情報ブロック」（ＭＩＢ）と称されることもある。ＵＥはＭＩＢを復号後、システム情報ブロック（ＳＩＢ）によって搬送された他のシステム情報を復号し得る。
【００２３】
ＰＳＳおよびＳＳＳの検出は、チャネル推定および等化をせずに、それらの構築において使用される特定のシーケンスを検出するための信号の処理を伴う。一方、ＰＢＣＨの復号は、ＰＢＣＨによって搬送された基幹システム情報ビットの復調および誤り復号化の前にチャネル推定と等化が必要になる（例えば、Ｐｏｌａｒ符号やテールバイティング畳み込み符号等の前方誤り訂正符号の復号を行う）。チャネル推定では、チャネル伝達関数を推定するために用いることができる参照シンボルの送信が必要になる。この参照シンボルは情報の搬送を行わないため、参照シンボルを使うことにより、スペクトル効率が低下してしまっていると言える。従って、参照シンボルを含むことによって生じるスペクトル効率の減少を最低限にするために、参照シンボルの数や密度を減らすことが望ましい。
＜ＮＲ−ＰＢＣＨ用の復調参照シンボル＞
【００２４】
本技術の実施形態が提供可能な構成によると、無線通信ネットワーク内で動作する無線通信デバイスは、物理ブロードキャストチャネル等の制御チャネルからより効率的に情報を検出することができる。このチャネルは、同期ＯＦＤＭシンボルの後に１以上のＯＦＤＭシンボルとして送信される。同期ＯＦＤＭシンボルは、ＵＥが最初に無線通信ネットワークへのアクセスを試行する際に、通信デバイスまたはＵＥによって最初に検出される。本技術の実施形態が提供可能な構成によると、チャネル伝達関数やチャネルインパルス応答を推定するために用いられる復調参照シンボル（ＤＭＲＳ）はＰＢＣＨ  ＯＦＤＭシンボルで送信される。このＰＢＣＨ  ＯＦＤＭシンボルは、同期ＯＦＤＭシンボルの周波数範囲と重複する周波数範囲におけるサブキャリア信号内に復調参照シンボルを含まず、この重複領域において同期ＯＦＤＭシンボルの周波数と重複しない領域とは異なるパターンの参照シンボルを含む。本技術の実施形態については以下に記載する。
【００２５】
したがって、各ＰＢＣＨ  ＯＦＤＭシンボルまたは制御搬送ＯＦＤＭシンボルが等化される必要があり、ＰＢＣＨ  ＯＦＤＭシンボルによって搬送された情報を復元するために誤りを検出する必要があるため、同期ＯＦＤＭシンボルから得られるチャネル推定値の一部とＰＢＣＨ  ＯＦＤＭシンボルによって搬送される復調参照シンボルから得られる部分の一部を組み合わせることによってより信頼性の高いチャネル推定値を判定することができる。したがって、いくつかの例において、重複領域におけるチャネルの推定値はＰＢＣＨ  ＯＦＤＭシンボルの非重複領域におけるチャネルの推定値とは異なる。
【００２６】
ＬＴＥ−Ａ（ＬＴＥ−Ａｄｖａｎｃｅｄ）において、ＰＳＳは３つのシーケンスのうちの１つを含む。ＵＥにおいてこれらのシーケンスのうちのいずれか１つを検出するということは、ｅＮｏｄｅＢの３つのセクタ候補のうちの１つからコンポーネントキャリアが送信されたことを示す。一方、ＳＳＳは１６８通りの方法のうちの１つの方法に従って構成することができる２つの３１エレメントシーケンスを搬送する。したがって、ＰＳＳとＳＳＳは０から５０３（３＊１６７＋２＝５０３）の範囲の５０４個の異なるセルアイデンティティを両者間で信号送信することができる。ＵＥが所定の同期シンボルにおいてどのシーケンスＰ（ｎ）が搬送されたかを判定すると、送信された参照シーケンスでＲＥのシーケンスＲｉ（ｎ）を分周することによって、チャネル伝達関数（ＣＴＦ）  Ｈｉ（ｎ）をその都度判定することができる。
（数１）
Hi（n）＝Ri（n）/  P（n）
【００２７】
ドップラー周波数が１／（２ＫＴｓ）未満になる程（Ｔｓは１つのＯＦＤＭシンボルの継続時間を示す）受信部の相対速度が低い場合、シンボルｉから判定されたチャネル伝達関数Ｈｉ（ｎ）をシンボル（ｉ±ｍ）  （０≦?ｍ≦Ｋ）を等化するのに用いることができる。従って、ＰＢＣＨ  ＯＦＤＭシンボルがＳＳＳの±Ｋ個のシンボル内にある限り、ＰＢＣＨ  ＯＦＤＭシンボルを復調するために用いられたチャネル伝達関数を推定するためにＳＳＳを用いることができる。ＰＢＣＨ  ＯＦＤＭシンボルを復号する際に同期信号をチャネル推定のための参照信号として使用するためには、以下の条件が成立する必要がある。
・ＰＢＣＨと同期信号ＯＦＤＭシンボルが同じ周波数帯にあること。
・ＰＢＣＨと同期信号ＯＦＤＭシンボルが同じサブキャリア間隔（ＳＣＳ）を用いること。
・周波数に関して、ＰＢＣＨと同期信号ＯＦＤＭシンボルが、同期信号として図ａに示すものと同じＲＥまたは図４Ｂ（後述する）に示すものよりも少ないＲＥを用いるＰＢＣＨと一致すること。つまり、ＰＢＣＨの帯域幅は同期信号と同じかそれ以下であること。
・ＰＢＣＨと同期信号は、それらが同じビームを共有する場合、同じプレコーディングベクトルを使用すること。
【００２８】
図４ａと図４ｂは周波数と時間の次元における３つのＯＦＤＭシンボル４０１、４０２、４０３としてＰＳＳ、ＳＳＳ、ＰＢＣＨ  ＯＦＤＭシンボルの例を示す。周波数の次元は、無線通信ネットワークによって提供される無線アクセスインターフェースのリソースエレメントで送信されるサブキャリアの数に対応する。しかし、各ＯＦＤＭシンボルは、最初にＰＳＳ４０１とＳＳＳ４０２が送信され、その後にＰＢＣＨシンボル４０３が送信されるように、時間内に順次送信される。図４ｂは、ＰＢＣＨ４０３の帯域幅が図４ａに示すＰＢＣＨの帯域幅よりも小さい例を示す。なお、参照シンボルとしてＵＥに使用される同期信号は、同期信号の特徴や、どのようにネットワークが展開されているかに依存し得る。例えば、近隣セルからのＰＳＳは同じ同期信号を搬送し得るため、ＰＳＳがチャネル推定に用いられた場合、異なるセルからの２以上のＰＳＳを観察しているＵＥは、単一周波数ネットワーク（ＳＦＮ）と類似する多経路チャネルを識別する可能性が高い。異なるセルからブロードキャスト送信されたＰＢＣＨは異なる情報を搬送するため、ＳＦＮの複合チャネルはＰＢＣＨ上のチャネルは示さない可能性がある。このような場合、ＵＥはＳＳＳのみを使用することもある（このＳＳＳはより広いリユースパターンと共に展開可能性であり、ＳＳＳは近隣セル間で十分に異なる）。これは、これらの信号がＰＢＣＨ上のチャネルを示す可能性が高いためである。
【００２９】
一方、ＰＢＣＨ  ＯＦＤＭシンボルは復調参照シンボル（ＤＭＲＳ）を搬送するためのいくつかのＲＥ専用のものであり得る。このようなＤＭＲＳの最適密度は、予測チャネル遅延拡散に基づいて判定される。ネットワークで用いるサイクリックプレフィックスＴｇが最大予測遅延拡散をちょうど超えるようにすでに設計されているため、ＤＭＲＳの密度や周波数間隔は１／Ｔｇ  Ｈｚとなる。Ｔｇが長いと、高密度（短い周波数間隔）のＤＭＲＳがＰＢＣＨのスペクトル効率に影響を与えることになる。
【００３０】
なお、ＰＢＣＨの帯域幅が広いと（ＰＢＣＨに使用されるＲＥの数が多いと）、搬送できる最小システム情報が多くなり、逆に、より確実に最小システム情報を搬送できる。あるいは、より広い帯域幅のＰＢＣＨは、より少ない数のＯＦＤＭシンボルで同じ量の最小システム情報を搬送することができ、同期信号ブロックの持続時間をより短くすることを可能にする。したがって、所定の期間内により多くの同期信号ブロック（およびより多くのビーム）をサポートすることを可能にする。したがって、ＰＢＣＨの帯域幅が図４（ｂ）の同期信号の帯域幅よりも小さくなる可能性は非常に低い。さらに、一定量の最小システム情報が与えられる場合、ＤＭＲＳの使用は、ＰＢＣＨが同期信号よりも広い帯域幅を占有する可能性が高いことを意味し、図５に示されるように、ＰＢＣＨがＰＳＳおよびＳＳＳの帯域幅の２倍以上の帯域幅を有し得る。
【００３１】
図５は、本技術に係る同期信号ブロックの概略図を示す。図５に示されるように、ＰＳＳ５０１およびＳＳＳ５０２は、図４ａおよび４ｂに対応する形で示される。しかしながら、ＰＢＣＨ情報５０３を搬送するＯＦＤＭシンボルの帯域幅は、同期信号５０１、５０２の帯域幅よりも広くなっている。図５に示すように、ＯＦＤＭシンボルを搬送するＰＢＣＨの帯域幅は同期信号５０２、５０１の帯域幅よりも大きいため、ＰＢＣＨ  ＯＦＤＭシンボルのサブキャリア信号がＰＳＳ５０１およびＳＳＳ５０２のＯＦＤＭシンボルと同一または重複する周波数を有する重複領域５０４と呼ばれる領域が存在する。それに応じて、これらの周波数で送信されるサブキャリアがＰＳＳおよびＳＳＳ  ＯＦＤＭシンボル５０１、５０２で送信されるサブキャリア信号と重複しない、または共通しない２つの領域５０６、５０８も存在する。
＜ＰＢＣＨ用の様々な参照シンボル＞
【００３２】
本技術の実施形態が提供可能な構成によると、チャネル推定に用いられる復調参照シンボルは、同期ＯＦＤＭシンボルと共通する周波数に関して、ＰＢＣＨ  ＯＦＤＭシンボルの重複領域内とＰＢＣＨ  ＯＦＤＭシンボルの非重複部分とで構成が異なる。図６に示すように、小さな四角形のエレメント６０１は、復調参照シンボル（ＤＭＲＳ）を搬送するサブキャリアを表す。図６では、図４および図５の例に対して時間軸および周波数軸が逆になっており、同期ＯＦＤＭシンボル６０２は、ＰＢＣＨ  ＯＦＤＭシンボル６０４でサブキャリアが送信される周波数の共通領域を占有するように図示されている。したがって、同期ＯＦＤＭシンボル６０２のサブキャリアと共通する周波数で送信され、したがって同期ＯＦＤＭシンボルと周波数が重複するサブキャリアを含むハッチング領域６０６が示されている。図６に示すように、２つの非重複領域５０６、５０８では復調参照シンボル６０１が送信さる。一方、ハッチング領域５０４では復調参照シンボルは送信されない。したがって、この例によれば、同期ブロックのＯＦＤＭシンボルが通過したチャネルのチャネル伝達関数またはチャネルインパルス応答は、２つの部分間で異なるように推定される。第１の部分は、同期ＯＦＤＭシンボル５０２で送信された同期シーケンスを用いて推定されるハッチング領域５０４である。一方、非重複領域５０６、５０８については、ＰＢＣＨ  ＯＦＤＭシンボル５０４のこれらの領域で送信された復調参照シンボル６０１からチャネルが推定される。
【００３３】
第１の実施形態ではＰＢＣＨのハッチング部分にはＤＭＲＳは含まれない。ＤＭＲＳは、重複部分、つまりハッチング部分４０５の両側にある非重複部分にのみ含まれる。この実施形態では、ＰＢＣＨの重複部分は、チャネル推定のための基準信号として同期ＯＦＤＭシンボルによって搬送された同期シーケンスを使用し、非ハッチング部分は、チャネル推定のために多重ＤＭＲＳを使用する。受信部は、フィルタリングまたは補間を利用して、別々のチャネル推定値間を平滑化することができる。この例の利点としては、重複部分のＤＭＲＳに使用されていたＲＥが代わりにＰＢＣＨ信号ペイロードを搬送するために使用され、それによってＰＢＣＨのスペクトル効率やロバスト性を向上できる点が挙げられる
【００３４】
当然、周波数に関して同期ＯＦＤＭ信号がＰＢＣＨ  ＯＦＤＭシンボルの中間帯域のみと重複する必要はない。重複領域は片側にのみ配置されてもよい。また、完全に重複しなくてもよい。いくつかの実施形態においては、ＰＢＣＨ  ＯＦＤＭシンボルは同期ＯＦＤＭシンボルと部分的にのみ重複する。このようなシステムでは、２つのチャネル推定値間の平滑化の方法は異なるが、フィルタリングと外挿または補間によって行うことができる。
【００３５】
いくつかの実施例においては、同じアンテナポートおよびビームフォーミング重みベクトルを、重複部分における同期信号（同期ＯＦＤＭシンボル）およびＰＢＣＨ  ＯＦＤＭシンボルに適用することができる。非重複部分では、異なるアンテナポートマッピングおよび異なるビームフォーミング重みベクトルを適用することができる（重複部分に適用されたマッピングとは異なる）。これにより、ＰＢＣＨに適用できるビームフォーミングにおける制約を低減し、ＰＢＣＨ内のビームフォーミングの多様性を増大させるという効果を得られる。
＜ＰＢＣＨ用の混合参照シンボル＞
【００３６】
上記に記載のように、ＵＥとｇＮｏｄｅＢとの間の相対的な移動速度によって、チャネル推定に適した参照シンボルとしての同期信号の有効性を制限することができる。同様に、所定の移動速度がこの有効性に影響し得るレベルは、ＯＦＤＭシンボル持続時間にも依存し、このシンボル持続時間は、送信に使用されるサブキャリア間隔（ＳＣＳ）にも依存する。例えば、ＳＣＳが半分になると、シンボル持続時間は２倍になるので、チャネル推定に同期信号を使用することの有効性は、同じ相対速度に対して半分になると予想することができる。したがって、一実施形態において、重複部分のＰＢＣＨ  ＯＦＤＭシンボルにいくつかのＤＭＲＳが追加される。ＤＭＲＳが存在する場合、受信部は、同期信号から導出されたチャネル推定値とＤＭＲＳから導出されたチャネル推定値との間の時間補間を利用して、チャネル推定値の有効性を維持することができる。更に、時間補間はＵＥにおける密度を増加させるために使用することができるため、この追加のＤＭＲＳは非重複部分ほど高密度である必要はない。従って、例えば、重複部分のＤＭＲＳは、図７に示されるように、非ハッシュ領域のＤＭＲＳの密度の半分以下であってもよい。
【００３７】
図７に示す他の例は、図６に示す図と対応している。しかし、図７に示すように、復調参照シンボル６２０は、非重複領域６０１、５０６、５０８だけでなく、重複領域（ハッチング領域）５０４内でも送信される。そこで、本技術によると、非重複領域で送信された復調参照シンボルから推定されたチャネル伝達関数エレメントとの周波数補間に先立って、重複領域で送信された復調参照シンボル６２０から生成されたサンプルとサブキャリアが共通周波数で送信される同期ＯＦＤＭシンボルから生成されたサンプルとの時間補間を利用して、重複部分のチャネル伝達関数を推定する。
【００３８】
さらに他の実施例として、図８は、同期シーケンスを搬送する同期ＯＦＤＭシンボルの後に連続して送信される３つのＯＦＤＭシンボル７０１、７０２、７０３によってＰＢＣＨ情報が搬送される例を示す。図８に示すように、重複部分５０４のためのサブキャリアに対する復調参照シンボルの数の比率は、物理ブロードキャストチャネル情報を搬送する３つの各ＰＢＣＨ  ＯＦＤＭシンボル７０１、７０２、７０３の、同期信号ＯＦＤＭシンボルに対する時間近接度に依存する。これは、各ＰＢＣＨ  ＯＦＤＭシンボルを復調するためのチャネル推定のための適切な参照シンボルとしての同期信号の有効性が、同期信号ＯＦＤＭシンボルからのＰＢＣＨ  ＯＦＤＭシンボルの時間近接度が増加するにつれて減少するからである。図８に示すように、同期ＯＦＤＭシンボル５０２に続く最初のＰＢＣＨ  ＯＦＤＭシンボル７０１は、重複部分５０４で復調参照シンボルを搬送しない。その後、順次送信される各ＰＢＣＨ  ＯＦＤＭシンボル７０２、７０３では、重複領域５０４内のサブキャリア信号に対する復調参照シンボルの密度（比率）が増加している。
【００３９】
当然、復調参照シンボルは、チャネル伝達関数のサンプルを推定するために受信部で使用することができる既知の振幅と位相を搬送するサブキャリアを提供する。
＜送信部と受信部の例＞
【００４０】
図９は、本技術に係る同期信号ブロックを送信するように構成された送信部の概略的なブロック図である。図９に示すように、通信デバイスに送信するためのブロードキャストシステム情報は、第１のブロック８００において生成され、誤り訂正エンコーダ８０２に供給される。誤り訂正エンコーダ８０２は誤り訂正符号化処理を行う。この誤り訂正符号化処理では、誤り訂正方式（ブロックまたは畳み込み符号化）に従って冗長情報がブロードキャストシステム情報を表す情報に追加される。いくつかの例においては、受信部における情報の完全性を確認するために、巡回冗長検査（ＣＲＣ）が追加されてもよい。以下に説明するように、いくつかの例においては、２つ以上の符号語を用いてもよい。例えば、重複領域での送信のための符号化システム情報と、非重複領域での送信のための他の符号化システム情報の、２つの符号語を用いてもよい。重複領域におけるチャネル推定値は、非重複領域におけるチャネル推定値よりも良好であるため、ブロードキャストシステム情報全体の送信の完全性を等化するために非重複領域に使用される誤り訂正符号の冗長量を増加させてもよい。
【００４１】
その後、誤り訂正符号化ブロードキャストシステム情報がＰＢＣＨ  ＯＦＤＭシンボル形成部８０４によって受信される。ＰＢＣＨ  ＯＦＤＭシンボル形成部８０４は復調参照シンボルのパターンを受信し、図５、６、７に示すようなブロードキャストシステム情報を搬送するためのＯＦＤＭシンボルの一例を形成する。ＰＢＣＨ  ＯＦＤＭシンボル用のＤＭＲＳ参照シンボルのパターンはブロック８０６からＰＢＣＨ  ＯＦＤＭシンボル形成部に供給される。ＰＢＣＨ  ＯＦＤＭシンボル形成部は送信する１以上のＰＢＣＨ  ＯＦＤＭシンボルを生成する。同時に、同期ＯＦＤＭシンボルを形成するための同期シーケンスが同期シーケンスセレクタ８０８によって生成され、同期信号ＯＦＤＭ信号形成部８１０に供給される。同期ＯＦＤＭシンボル形成部８１０は選択された同期シーケンスを同期ＯＦＤＭシンボルに組み合わせ、送信する同期ＯＦＤＭシンボルを形成する。その後、マルチプレクサ８１４は、ＲＦ送信部８１６から送信するための１以上のＰＢＣＨ  ＯＦＤＭシンボルと共に順次同期ＯＦＤＭシンボルを受信し、同期ＯＦＤＭシンボルとそれに続く１以上のＰＢＣＨ  ＯＦＤＭシンボルとを時間的に分離して送信する。
【００４２】
図１０は受信部の概略的なブロック図を示す。図１０に示すように、受信アンテナ９００は検出した無線周波数信号を無線周波数受信部９０２に供給する。無線周波数受信部９０２は所望の信号を分離する。その後、同期ＯＦＤＭシンボル検出部９０４とＰＢＣＨ  ＯＦＤＭシンボル検出部９０６はそれぞれ順次同期ＯＦＤＭシンボルと１以上のＰＢＣＨ  ＯＦＤＭシンボルを検出する。同期信号ＯＦＤＭ検出部９０４は同期ＯＦＤＭシンボルによって搬送された同期シーケンスの推定値を生成し、推定された同期シーケンスを分周部９０５に供給する。同期シーケンス生成部９０７は、同期ＯＦＤＭシンボルに含まれ得る複数の同期シーケンス候補のうちの１つを識別し、識別された同期シーケンスを分周回路９０５に第２の入力として供給する。そして、分周回路９０５は受信した同期ＯＦＤＭシンボルの同期信号を、同期シーケンス生成部９０７によって識別された同期シーケンスで分周し、ＰＢＣＨ  ＯＦＤＭシンボルの重複部分に対応する周波数領域のチャネル伝達関数の推定値を生成する。チャネル推定値のこの部分は、チャネル推定部９０８に供給される。
【００４３】
ＰＢＣＨ  ＯＦＤＭシンボル検出部９０６は、ＰＢＣＨ  ＯＦＤＭシンボルの非重複部分に対応するチャネル伝達関数に対して、非重複部分で搬送された復調参照シンボルを復元し、接続チャネル９１２を介してチャネル推定部９０８に供給する。そして、チャネル推定部９０８は、所定の振幅および位相を有する受信部において既知のレプリカとの比較を行うことにより、非重複分から復元された復調参照シンボルから周波数領域におけるチャネル伝達関数の推定値を生成し、復調参照シンボル毎にチャネル伝達関数のサンプルを生成する。そして、チャネル推定部９０８は、同期ＯＦＤＭシンボルから推定した各ＰＢＣＨ  ＯＦＤＭシンボルの重複部分のチャネル伝達関数の推定値と、復元した復調参照シンボルから生成された非重複部分に対応するチャネル伝達関数の部分とを合成して、ＰＢＣＨ  ＯＦＤＭシンボル全体のチャネル伝達関数の推定値を生成する。そして、チャネル伝達関数はイコライザ９１４に供給される。イコライザ９１４は検出したＯＦＤＭシンボル９０６からチャネルの効果を除去する。そして、等化後のＰＢＣＨ  ＯＦＤＭシンボルはＰＢＣＨ  ＯＦＤＭ復調部９１６に供給され、ＰＢＣＨ  ＯＦＤＭ復調部９１６は１以上の全てのＰＢＣＨ  ＯＦＤＭシンボルを復調し、ＰＢＣＨ  ＯＦＤＭシンボルによって搬送された誤り訂正符号化ブロードキャスト情報を復元する。そして、誤り訂正デコーダ９１８はＰＢＣＨによって搬送された符号化情報に対して誤り訂正復号処理を行い、ブロードキャストシステム情報を出力９０２として提供する。
【００４４】
いくつかの例において、チャネル推定部９０８は、復調参照シンボルから推定されたチャネル伝達関数のサンプルと同期ＯＦＤＭシンボルの同期シーケンスから推定されたサンプルとの間で時間補間を行う。
＜可変レートマッチング＞
【００４５】
いくつかの実施形態においては、ＰＢＣＨは２以上の符号ブロックを含む（例えばＰＢＣＨは２つの符号ブロックを含む）。１つの符号ブロックは、前方誤り訂正符号語を含む（通常、ＣＲＣが付加されるが、１つのＣＲＣで２つのコードブロックを保護することも可能である）。重複部分にマッピングされた符号ブロックのレートマッチングパラメータは、この符号ブロックによって搬送された情報に対し（非重複部分にマッピングされた符号ブロックに適用された符号レートと比較して）より高い符号レートとより影響の少ない符号化をもたらす。これにより、２つの符号ブロックの信頼性を等化することができる（重複領域における符号レートの増加は、その領域におけるチャネル推定の信頼性の改善によって補償されることに留意されたい）。
＜優先度に基づくマッッピング＞
【００４６】
いくつかの実施形態では、ＰＢＣＨ内のＤＭＲＳの密度は均一であるが（すなわち、ＰＢＣＨ  ＯＦＤＭシンボルの重複領域と非重複領域との間にＤＭＲＳ密度差がない）、重複領域にマッピングされるデータは優先度情報に基づいて選択される。これらの実施例によれば、ＰＢＣＨ符号語のシステマティックビットなどの最優先情報を、ＰＢＣＨの最も信頼性の高い部分に割り当てることができる。また、前述のように、ＰＢＣＨは２以上の符号ブロックから構成され得る（つまり、優先度が低いデータのためのＣＢと優先度が高いデータのためのＣＢ）。優先度が高いデータを含む符号ブロックは重複領域（つまり、より信頼性の高い領域）にマッピングされ、優先度が低いデータを含む符号ブロックは非重複領域にマッピングされる。この場合、両符号ブロックは同じレートマッチングパターンを使用する。
【００４７】
優先度の高い符号ブロックで送信され得る情報の例としては、以下のうちの１つまたは複数を含み得る。
・非常警報データ（例えば、セルまたはビームによって占有されている領域において地震や津波が発生するかどうかを示すフラグ）
・ＭＩＢ（またはＳＩＢ）コンテンツが変化したかどうかを示すフラグ
・システムフレーム番号情報
・時間またはビームインデックスインジケーション（ＵＥがビームのタイミングを判定できるようする。これにより、ＵＥがビームＩＤを判定できるようになる。モビリティ測定を行う場合、ＵＥが容易かつ確実にこのような情報を復号できることが望ましい）
【００４８】
そのほかの情報は優先度の低い符号ブロックで搬送することができる（例えば、他のＳＩＢの受信を許可する情報は、優先度の低いコードブロックで送信することができる。これは、ＭＩＢまたはＳＩＢの構成に変更があるレアケースの場合にのみこの情報の復号が必要になるからである）。なお、信頼性の高い部分にどのビットを適用し、信頼性の低い部分にどのビットを適用するかを示すマッピングは、予め定められていることが多い。
＜ＤＭＲＳシーケンス＞
【００４９】
いくつかの実施形態では、図１１に示されるように、いくつかのＤＭＲＳリソースエレメントはｇＮｏｄｅＢからＵＥへのシグナリング情報を搬送するために用いることができる。一方、他のＤＭＲＳリソースエレメントは既知のシーケンスを搬送することができる。
図１１の例では、図８と同様に、ＰＢＣＨ情報は同期ＯＦＤＭシンボルの後に連続して送信される３つのＯＦＤＭシンボル１１０１、１１０２、１１０３によって搬送される。図１１に示すように、同期ＯＦＤＭシンボル５０２に続く第１のＰＢＣＨ  ＯＦＤＭシンボル１１０１は、重複部分５０４で復調参照シンボルを搬送しない。その後順次送信される各ＰＢＣＨ  ＯＦＤＭシンボル１１０２、１１０３は、重複領域５０４内のサブキャリア信号に対する復調参照シンボルの密度（比率）が増加している。
【００５０】
復調参照シンボルは、２つの異なるグループを形成する。この２つのグループとは、ｇＮｏｄｅＢおよびＵＥの双方に既知のシーケンスである既知のシーケンスによって変調されたグループ１１１０と、ｇＮｏｄｅＢおよびＵＥの間でシグナリング情報を搬送する情報依存シーケンスによって変調されたグループ１１２０である。
【００５１】
つまり、この実施形態において、復調参照シンボルの第１のグループはシグナリング情報を搬送し、復調参照シンボルの第２のグループは既知のシーケンスを搬送し、既知のシーケンスは無線通信デバイスとインフラストラクチャ機器の両方にとって既知であり、復調参照シンボルの第１のグループは復調参照シンボルの第２のグループと異なる。
【００５２】
既知のシーケンスで変調されたＤＭＲＳの第２のグループはＵＥにおいて使用可能であり、復調参照シンボルの第１のグループによって搬送されたシグナリング情報の復号に使用されたチャネル伝達関数の推定値を生成することができる。ＰＢＣＨ  ＤＭＲＳの第１のグループによって搬送することができる情報の例として、検出された同期信号ブロックの基数を表す同期信号（ＳＳ）ブロック時間インデックスがある。
【００５３】
当然、本技術の実施形態は、物理ブロードキャストチャネル上で情報を送信することに限定されず、制御情報を送信する場合にも適用可能である。この場合、同期ＯＦＤＭシンボルが、制御情報を搬送するＯＦＤＭシンボルより前に送信され、各ＯＦＤＭシンボル内の搬送波信号の周波数の一部が共通である。
【００５４】
以下の番号付けされた段落は、本技術のさらなる例示的な態様および特徴を規定する。
段落１．
無線通信ネットワークを介してデータを送受信する無線通信デバイスであって、上記無線通信デバイスは
無線アクセスインターフェースを介して上記無線通信ネットワークの無線ネットワーク部を構成するインフラストラクチャ機器に無線信号を送信するように構成された送信回路と、
上記無線アクセスインターフェースを介して上記インフラストラクチャ機器から送信された無線信号を受信するように構成された受信回路と、
上記無線信号によって搬送されたデータを上記インフラストラクチャ機器に送信し、上記無線信号によって搬送されたデータを上記インフラストラクチャ機器から受信するように上記送信回路と上記受信回路を制御するように構成された制御回路を含み、
上記制御回路は上記受信回路と共に
上記無線アクセスインターフェースを介して上記インフラストラクチャ機器によって送信された同期信号ブロックであって、同期シーケンスを搬送する１以上の直交周波数分割多重（ＯＦＤＭ）シンボルと、上記無線アクセスインターフェースの物理ブロードキャストチャネルの情報を搬送する１以上の他のＯＦＤＭシンボルを含む同期信号ブロックを検出し、
検出した上記同期信号ブロックが通過したチャネル伝達関数の推定値を生成し、
上記無線アクセスインターフェースの物理ブロードキャストチャネルの情報を搬送する１以上の他のＯＦＤＭシンボルを等化するため、推定された上記チャネル伝達関数を用いて上記物理ブロードキャストチャネル情報を復号するように構成され、
上記同期ブロックの各ＯＦＤＭシンボルは、上記ＯＦＤＭシンボルの持続期間中にそれぞれ上記無線アクセスインターフェースのリソースエレメントとして送信される複数の周波数領域サブキャリア信号によって構成され、上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成され、
上記受信回路は、上記同期信号の上記同期シーケンスを搬送するＯＦＤＭシンボルのリソースエレメントと、上記物理ブロードキャストチャネル情報を搬送するＯＦＤＭシンボルで受信された上記復調参照シンボルの一方または両方を用いて、上記チャネル伝達関数の推定値を生成するように構成される
無線通信デバイス。
段落２．
段落１に記載の無線通信デバイスであって、
上記同期信号を搬送するＯＦＤＭシンボルと上記物理ブロードキャストチャネル情報を搬送する上記１以上のＯＦＤＭシンボルとが少なくとも部分的に上記周波数領域において重複し、それにより、同期信号を搬送するＯＦＤＭシンボルにおいて同期シーケンスにより変調されたサブキャリアと上記物理ブロードキャストチャネル情報を搬送する１以上のＯＦＤＭシンボルの１以上の重複部分の１以上の周波数領域を構成するために１以上のサブキャリアが同じ周波数で送信され、上記同期信号を搬送するＯＦＤＭシンボルにおいて上記同期シーケンスにより変調されたサブキャリアの周波数とは異なる周波数で１以上の非重複部分が送信される周波数領域を上記物理ブロードキャストチャネル情報を搬送する１以上のＯＦＤＭシンボルの１以上の他のサブキャリアが構成する
無線通信デバイス。
段落３．
段落２に記載の無線通信デバイスであって、
上記物理ブロードキャストチャネル情報を搬送する１以上のＯＦＤＭシンボルの１以上の重複部分は復調参照シンボルを含まないが、上記１以上の非重複部分は上記物理ブロードキャストチャネル情報を搬送する１以上のＯＦＤＭシンボルによって搬送された上記復調参照シンボルを含み、上記受信回路は、上記１以上の重複部分に対応するサブキャリアのための上記同期信号を搬送するＯＦＤＭシンボルによって搬送された同期シーケンスから上記１以上の重複部分に対応するチャネル伝達関数の一部を推定し、上記物理ブロードキャストチャネル情報を搬送する１以上のＯＦＤＭシンボルによって搬送された復調参照シンボルから上記１以上の非重複部分に対応するチャネル伝達関数の一部を推定することによって、上記同期信号を搬送するＯＦＤＭシンボルで受信された同期シーケンスと上記物理ブロードキャストチャネル情報を搬送するＯＦＤＭシンボルの復調参照シンボルを用いて、上記チャネル伝達関数の推定値を生成するように構成される
無線通信デバイス。
段落４．
段落２に記載の無線通信デバイスであって、
上記物理ブロードキャストチャネル情報を搬送する１以上のＯＦＤＭシンボルの１以上の重複部分と１以上の非重複部分は両方とも復調参照シンボルを含み、上記受信回路は、上記復調参照シンボルが上記物理ブロードキャストチャネル情報を搬送する１以上のＯＦＤＭシンボルの１以上の重複部分から受信されたか、１以上の非重複部分から受信されたかによってそれぞれ異なる上記復調参照シンボルを用いて上記チャネル伝達関数の推定値を生成するように構成される
無線通信デバイス。
段落５．
段落４に記載の無線通信デバイスであって、
上記受信回路は、
上記１以上の重複部分に対応するサブキャリアのため、上記物理ブロードキャストチャネル情報を搬送する１以上のＯＦＤＭシンボルのうちの対応する１つのＯＦＤＭシンボルによって搬送された復調参照シンボルから生成されたチャネル伝達関数のサンプルと、上記同期信号を搬送するＯＦＤＭシンボルによって搬送された同期シーケンスから生成されたチャネル伝達関数のサンプルの間で時間補間を行うことにより上記１以上の重複部分に対応するチャネル伝達関数の一部を推定し、
上記物理ブロードキャストチャネル情報を搬送する１以上のＯＦＤＭシンボルのうちの対応する１つのＯＦＤＭシンボルの１以上の非重複部分によって搬送された復調参照シンボルから上記１以上の非重複部分に対応するチャネル伝達関数の一部を推定することによって、
上記同期信号を搬送するＯＦＤＭシンボルで受信した同期シーケンスを用い、上記物理ブロードキャストチャネル情報を搬送する１以上のＯＦＤＭシンボルによって搬送された復調参照シンボルから、上記物理ブロードキャストチャネル情報を搬送する１以上のＯＦＤＭシンボルのそれぞれに対して上記チャネル伝達関数の推定値を生成するように構成される
無線通信デバイス。
段落６．
段落４または５に記載の無線通信デバイスであって、
上記復調参照シンボルは、上記物理ブロードキャストチャネル情報を搬送する１以上のＯＦＤＭシンボルのそれぞれにおいて上記１以上の重複部分と上記１以上の非重複部分で異なるように割り当てられる
無線通信デバイス。
段落７．
段落６に記載の無線通信デバイスであって、
上記物理ブロードキャストチャネル情報を搬送するＯＦＤＭシンボルの１以上の非重複部分のサブキャリアに対する復調参照シンボルの数の比率は、上記１以上の重複部分のサブキャリアに対する復調参照シンボルの数の比率よりも大きい
無線通信デバイス。
段落８．
段落７に記載の無線通信デバイスであって、
上記１以上の重複部分のサブキャリアに対する復調参照シンボルの数の比率は、上記物理ブロードキャストチャネル情報を搬送する１以上のＯＦＤＭシンボルのそれぞれと、上記同期信号を搬送するＯＦＤＭシンボルの時間近接度に依存し、上記物理ブロードキャストチャネル情報を搬送する直後のＯＦＤＭシンボルに関しては上記比率は低くなっている或いは０であり、それ以降の上記物理ブロードキャストチャネル情報を搬送するＯＦＤＭシンボルに関してはそれより大きくなる
無線通信デバイス。
段落９．
段落１から８のいずれかに記載の無線通信デバイスであって、
上記物理ブロードキャストチャネル情報は１以上の誤り訂正符号を用いて符号化され、上記重複部分のサブキャリアによって搬送された物理ブロードキャストチャネル情報に対して上記１以上の誤り訂正符号によって提供された冗長データの量は上記非重複部分のサブキャリアによって搬送されたものよりも少なく、上記受信回路は誤り訂正復号回路を含み、上記誤り訂正復号回路は符号化された上記物理ブロードキャストチャネル情報が上記１以上の重複部分の１以上のＯＦＤＭシンボルのサブキャリアによって搬送されたか、上記１以上の非重複部分の１以上のＯＦＤＭシンボルのサブキャリアによって搬送されたかによって符号化された上記物理ブロードキャストチャネル情報を異なるように復号するように構成される
無線通信デバイス。
段落１０．
段落９に記載の無線通信デバイスであって、
上記１以上の誤り訂正符号は２つの誤り訂正符号を含み、上記２つの誤り訂正符号とは上記１以上のＯＦＤＭシンボルの１以上の重複部分にて搬送された物理ブロードキャストチャネル情報を符号化するために用いられた第１の誤り訂正符号と上記１以上のＯＦＤＭシンボルの１以上の非重複部分にて搬送された物理ブロードキャストチャネル情報を符号化するために用いられた第２の誤り訂正符号であり、１以上の重複部分に対する上記第１の誤り訂正符号の符号レートは上記１以上の非重複部分に対する上記第２の誤り訂正符号の符号レートよりも高い
無線通信デバイス。
段落１１．
段落９に記載の無線通信デバイスであって、
上記物理ブロードキャストチャネル情報は優先度の異なる情報を含み、優先度の高い物理ブロードキャストチャネル情報は上記１以上のＯＦＤＭシンボルの１以上の重複部分のサブキャリアによって搬送される
無線通信デバイス。
段落１２．
段落１から１１のいずれかに記載の無線通信デバイスであって、
上記同期ブロックは複数のアンテナを用いてビームとして送信され、上記ビームを形成するために使用されたベクトルは上記同期信号ＯＦＤＭシンボルと上記１以上の物理ブロードキャストチャネル情報ＯＦＤＭシンボルの両方のために使用されたベクトルと同一である
無線通信デバイス。
段落１３．
段落１から１１のいずれかに記載の無線通信デバイスであって、
上記受信回路は、同期信号を搬送するＯＦＤＭシンボルで搬送された上記同期シーケンスを、複数の同期シーケンス候補の１つとして識別するように構成される
無線通信デバイス。
段落１４．
段落１から１３のいずれかに記載の無線通信デバイスであって、
上記復調参照シンボルの第１のグループはシグナリング情報を搬送し、上記復調参照シンボルの第２のグループは既知のシーケンスを搬送し、上記既知のシーケンスは上記無線通信デバイスと上記インフラストラクチャ機器の両方にとって既知であり、上記復調参照シンボルの第１のグループは上記復調参照シンボルの第２のグループと異なる
無線通信デバイス。
段落１５．
段落１４に記載の無線通信デバイスであって、
上記無線通信デバイスは、上記復調参照シンボルの第２のグループによって搬送された既知のシーケンスを用いて上記チャネル伝達関数の推定値を生成するように構成される
無線通信デバイス。
段落１６．
段落１５に記載の無線通信デバイスであって、
上記無線通信デバイスは、上記既知のシーケンスを用いて推定された上記チャネル伝達関数の推定値を用いて上記復調参照シンボルの第１のグループによって搬送された上記シグナリング情報を復号するように構成される
無線通信デバイス。
段落１７．
段落１４から１６のいずれかに記載の無線通信デバイスであって、
上記シグナリング情報は、検出した上記同期信号ブロックの基数を表す同期信号ブロック時間インデックスを含む
無線通信デバイス。
段落１８．
無線通信ネットワークを介して無線通信デバイスによってデータの送受信を行う方法であって、上記方法は
上記無線アクセスインターフェースを介して上記インフラストラクチャ機器によって送信された同期信号ブロックであって、同期シーケンスを搬送する１以上の直交周波数分割多重（ＯＦＤＭ）シンボルと、上記無線アクセスインターフェースの物理ブロードキャストチャネルの情報を搬送する１以上の他のＯＦＤＭシンボルを含む同期信号ブロックを検出し、
検出した上記同期信号ブロックが通過したチャネル伝達関数の推定値を生成し、
上記無線アクセスインターフェースの物理ブロードキャストチャネルの情報を搬送する１以上の他のＯＦＤＭシンボルを等化するため、推定された上記チャネル伝達関数を用いて上記物理ブロードキャストチャネル情報を復号することを含み、
上記同期ブロックの各ＯＦＤＭシンボルは上記ＯＦＤＭシンボルの持続期間中にそれぞれ上記無線アクセスインターフェースのリソースエレメントとして送信される複数の周波数領域サブキャリア信号によって構成され、上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成され、
チャネル伝達関数の推定値の生成することは、上記同期信号の上記同期シーケンスを搬送するＯＦＤＭシンボルのリソースエレメントと、上記物理ブロードキャストチャネル情報を搬送するＯＦＤＭシンボルで受信された上記復調参照シンボルの一方または両方を用いてチャネル伝達関数の推定値の生成することを含む
方法。
段落１９．
段落１８に記載の方法であって、
上記同期信号を搬送するＯＦＤＭシンボルと上記物理ブロードキャストチャネル情報を搬送する上記１以上のＯＦＤＭシンボルとが少なくとも部分的に上記周波数領域において重複し、それにより、同期信号を搬送するＯＦＤＭシンボルにおいて同期シーケンスにより変調されたサブキャリアと上記物理ブロードキャストチャネル情報を搬送する１以上のＯＦＤＭシンボルの１以上の重複部分の１以上の周波数領域を構成するために１以上のサブキャリアが同じ周波数で送信され、上記同期信号を搬送するＯＦＤＭシンボルにおいて上記同期シーケンスにより変調されたサブキャリアの周波数とは異なる周波数で１以上の非重複部分が送信される周波数領域を上記物理ブロードキャストチャネル情報を搬送する１以上のＯＦＤＭシンボルの１以上の他のサブキャリアが構成する
方法。
段落２０．
段落１９に記載の方法であって、
上記物理ブロードキャストチャネル情報を搬送する１以上のＯＦＤＭシンボルの１以上の重複部分は復調参照シンボルを含まないが、上記１以上の非重複部分は上記物理ブロードキャストチャネル情報を搬送する１以上のＯＦＤＭシンボルによって搬送された上記復調参照シンボルを含み、上記同期信号を搬送するＯＦＤＭシンボルで受信された同期シーケンスと上記物理ブロードキャストチャネル情報を搬送するＯＦＤＭシンボルの復調参照シンボルを用いて上記チャネル伝達関数の推定値を生成することは、
上記１以上の重複部分に対応するサブキャリアのための上記同期信号を搬送するＯＦＤＭシンボルによって搬送された同期シーケンスから上記１以上の重複部分に対応するチャネル伝達関数の一部を推定し、
上記物理ブロードキャストチャネル情報を搬送する１以上のＯＦＤＭシンボルによって搬送された復調参照シンボルから上記１以上の非重複部分に対応するチャネル伝達関数の一部を推定することを含む
方法。
段落２１．
段落１９に記載の方法であって、
上記物理ブロードキャストチャネル情報を搬送する１以上のＯＦＤＭシンボルの１以上の重複部分と１以上の非重複部分は両方とも復調参照シンボルを含み、上記同期信号を搬送するＯＦＤＭシンボルで受信された同期シーケンスと上記物理ブロードキャストチャネル情報を搬送するＯＦＤＭシンボルの復調参照シンボルを用いて上記チャネル伝達関数の推定値を生成することは、上記復調参照シンボルが上記物理ブロードキャストチャネル情報を搬送する１以上のＯＦＤＭシンボルの１以上の重複部分から受信されたか、１以上の非重複部分から受信されたかによってそれぞれ異なる上記復調参照シンボルを用いて上記チャネル伝達関数の推定値を生成することを含む
方法。
段落２２．
段落２１に記載の方法であって、
上記同期信号を搬送するＯＦＤＭシンボルで受信した同期シーケンスを用い、上記物理ブロードキャストチャネル情報を搬送する１以上のＯＦＤＭシンボルによって搬送された復調参照シンボルから、上記物理ブロードキャストチャネル情報を搬送する１以上のＯＦＤＭシンボルのそれぞれに対して上記チャネル伝達関数の推定値を生成することは、
上記１以上の重複部分に対応するサブキャリアのため、上記物理ブロードキャストチャネル情報を搬送する１以上のＯＦＤＭシンボルのうちの対応する１つのＯＦＤＭシンボルによって搬送された復調参照シンボルから生成されたチャネル伝達関数のサンプルと、上記同期信号を搬送するＯＦＤＭシンボルによって搬送された同期シーケンスから生成されたチャネル伝達関数のサンプルの間で時間補間を行うことにより上記１以上の重複部分に対応するチャネル伝達関数の一部を推定し、
上記物理ブロードキャストチャネル情報を搬送する１以上のＯＦＤＭシンボルのうちの対応する１つのＯＦＤＭシンボルの１以上の非重複部分によって搬送された復調参照シンボルから上記１以上の非重複部分に対応するチャネル伝達関数の一部を推定することを含む
方法。
段落２３．
段落２１または２２に記載の方法であって、
上記復調参照シンボルは、上記物理ブロードキャストチャネル情報を搬送する１以上のＯＦＤＭシンボルのそれぞれにおいて上記１以上の重複部分と上記１以上の非重複部分で異なるように割り当てられる
方法。
段落２４．
段落１８から２３のいずれかに記載の方法であって、
上記復調参照シンボルの第１のグループはシグナリング情報を搬送し、上記復調参照シンボルの第２のグループは既知のシーケンスを搬送し、上記既知のシーケンスは上記無線通信デバイスと上記インフラストラクチャ機器の両方にとって既知であり、上記復調参照シンボルの第１のグループは上記復調参照シンボルの第２のグループと異なる
方法。
段落２５．
段落２４に記載の方法であって、
上記復調参照シンボルの第２のグループによって搬送された既知のシーケンスを用いて上記チャネル伝達関数の推定値を生成することを含む
方法。
段落２６．
段落２５に記載の方法であって、
上記既知のシーケンスを用いて推定された上記チャネル伝達関数の推定値を用いて上記復調参照シンボルの第１のグループによって搬送された上記シグナリング情報を復号することを含む
方法。
段落２７．
段落２４から２６のいずれかに記載の方法であって、
上記シグナリング情報は、検出した上記同期信号ブロックの基数を表す同期信号ブロック時間インデックスを含む
方法。
段落２８．
無線通信ネットワークの無線ネットワーク部の一部を構成するインフラストラクチャ機器であって、上記インフラストラクチャ機器は
上記インフラストラクチャ機器によって構成された無線アクセスインターフェースを介して、１以上の無線通信デバイスに無線信号を送信するように構成された送信回路と、
上記無線アクセスインターフェースを介して上記１以上の無線通信デバイスから送信された無線信号を受信するように構成された受信回路と、
上記無線信号によって搬送されたデータを上記１以上の無線通信デバイスに送信し、上記無線信号によって搬送されたデータを上記１以上の無線通信デバイスから受信するように上記送信回路と上記受信回路を制御するように構成された制御回路を含み、
上記制御回路は上記送信回路と共に
同期シーケンスを搬送する１以上の直交周波数分割多重（ＯＦＤＭ）シンボルと、上記無線アクセスインターフェースの物理ブロードキャストチャネルの情報を搬送する１以上の他のＯＦＤＭシンボルを含む同期信号ブロックを形成し、
上記物理ブロードキャストチャネルによって提供された上記ブロードキャスト情報を受信するために上記１以上の無線通信デバイスに上記同期信号ブロックを送信するように構成され、
上記同期ブロックの各ＯＦＤＭシンボルは上記ＯＦＤＭシンボルの持続期間中に上記無線アクセスインターフェースのリソースエレメントで送信された複数の周波数領域サブキャリア信号によって構成され、上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成される
インフラストラクチャ機器。
段落２９．
段落２８に記載のインフラストラクチャ機器であって、
上記同期信号を搬送するＯＦＤＭシンボルと上記物理ブロードキャストチャネル情報を搬送する上記１以上のＯＦＤＭシンボルとが少なくとも部分的に上記周波数領域において重複し、それにより、同期信号を搬送するＯＦＤＭシンボルにおいて同期シーケンスにより変調されたサブキャリアと上記物理ブロードキャストチャネル情報を搬送する１以上のＯＦＤＭシンボルの１以上の重複部分の１以上の周波数領域を構成するために１以上のサブキャリアが同じ周波数で送信され、上記同期信号を搬送するＯＦＤＭシンボルにおいて上記同期シーケンスにより変調されたサブキャリアの周波数とは異なる周波数で１以上の非重複部分が送信される周波数領域を上記物理ブロードキャストチャネル情報を搬送する１以上のＯＦＤＭシンボルの１以上の他のサブキャリアが構成する
インフラストラクチャ機器。
段落３０．
段落２９に記載のインフラストラクチャ機器であって、
上記物理ブロードキャストチャネル情報を搬送する１以上のＯＦＤＭシンボルの１以上の重複部分は復調参照シンボルを含まないが、上記１以上の非重複部分は上記物理ブロードキャストチャネル情報を搬送する１以上のＯＦＤＭシンボルによって搬送された上記復調参照シンボルを含む
インフラストラクチャ機器。
段落３１．
段落２９に記載のインフラストラクチャ機器であって、
上記物理ブロードキャストチャネル情報を搬送する１以上のＯＦＤＭシンボルの１以上の重複部分と１以上の非重複部分は両方とも復調参照シンボルを含む
インフラストラクチャ機器。
段落３２．
段落３０または３１に記載のインフラストラクチャ機器であって、
上記復調参照シンボルは、上記物理ブロードキャストチャネル情報を搬送する１以上のＯＦＤＭシンボルのそれぞれにおいて上記１以上の重複部分と上記１以上の非重複部分で異なるように割り当てられる
インフラストラクチャ機器。
段落３３．
段落３２に記載のインフラストラクチャ機器であって、
上記物理ブロードキャストチャネル情報を搬送するＯＦＤＭシンボルの１以上の非重複部分のサブキャリアに対する復調参照シンボルの数の比率は、上記１以上の重複部分のサブキャリアに対する復調参照シンボルの数の比率よりも大きい
インフラストラクチャ機器。
段落３４．
段落３３に記載のインフラストラクチャ機器であって、
上記１以上の重複部分のサブキャリアに対する復調参照シンボルの数の比率は上記物理ブロードキャストチャネル情報を搬送する１以上のＯＦＤＭシンボルのそれぞれと、上記同期信号を搬送するＯＦＤＭシンボルの時間近接度に依存し、上記物理ブロードキャストチャネル情報を搬送する直後のＯＦＤＭシンボルに関しては上記比率は低くなっている或いは０であり、それ以降の上記物理ブロードキャストチャネル情報を搬送するＯＦＤＭシンボルに関してはそれより大きくなる
インフラストラクチャ機器。
段落３５．
段落２８から３４のいずれかに記載のインフラストラクチャ機器であって、
上記物理ブロードキャストチャネル情報は１以上の誤り訂正符号を用いて符号化され、上記重複部分のサブキャリアによって搬送された物理ブロードキャストチャネル情報に対して上記１以上の誤り訂正符号によって提供された冗長データの量は上記非重複部分のサブキャリアによって搬送されたものよりも少なく、上記受信回路は誤り訂正復号回路を含み、上記誤り訂正復号回路は符号化された上記物理ブロードキャストチャネル情報が上記１以上の重複部分の１以上のＯＦＤＭシンボルのサブキャリアによって搬送されたか、上記１以上の非重複部分の１以上のＯＦＤＭシンボルのサブキャリアによって搬送されたかによって符号化された上記物理ブロードキャストチャネル情報を異なるように復号するように構成される
インフラストラクチャ機器。
段落３６．
段落３５に記載のインフラストラクチャ機器であって、
上記１以上の誤り訂正符号は２つの誤り訂正符号を含み、上記２つの誤り訂正符号とは上記１以上のＯＦＤＭシンボルの１以上の重複部分にて搬送された物理ブロードキャストチャネル情報を符号化するために用いられた第１の誤り訂正符号と上記１以上のＯＦＤＭシンボルの１以上の非重複部分にて搬送された物理ブロードキャストチャネル情報を符号化するために用いられた第２の誤り訂正符号であり、１以上の重複部分に対する上記第１の誤り訂正符号の符号レートは上記１以上の非重複部分に対する上記第２の誤り訂正符号の符号レートよりも高い
インフラストラクチャ機器。
段落３７．
段落３６に記載のインフラストラクチャ機器であって、
上記物理ブロードキャストチャネル情報は優先度の異なる情報を含み、上記制御部は送信回路と共に上記１以上のＯＦＤＭシンボルの１以上の重複部分のサブキャリアによって搬送された優先度の高い情報を用いて上記物理ブロードキャストチャネル情報を搬送する１以上のＯＦＤＭシンボルを形成するように構成される
インフラストラクチャ機器。
段落３８．
段落２８から３７のいずれかに記載のインフラストラクチャ機器であって、
上記送信回路はアンテナアレイを構成する複数のアンテナを含み、上記制御回路は上記送信回路と共に上記複数のアンテナを用いて上記同期ブロックをビームとして送信するように構成され、上記ビームを形成するために使用されたベクトルは上記同期信号ＯＦＤＭシンボルと上記１以上の物理ブロードキャストチャネル情報ＯＦＤＭシンボルの両方のために使用されたベクトルと同一である
インフラストラクチャ機器。
段落３９．
段落２８から３８のいずれかに記載のインフラストラクチャ機器であって、
上記受信回路は、同期信号を搬送するＯＦＤＭシンボルで搬送された上記同期シーケンスを、複数の同期シーケンス候補の１つとして識別するように構成される
インフラストラクチャ機器。
段落４０．
段落２８から３８のいずれかに記載のインフラストラクチャ機器であって、
上記復調参照シンボルの第１のグループはシグナリング情報を搬送し、上記復調参照シンボルの第２のグループは既知のシーケンスを搬送し、上記既知のシーケンスは上記１以上の無線通信デバイスと上記インフラストラクチャ機器の両方にとって既知であり、上記復調参照シンボルの第１のグループは上記復調参照シンボルの第２のグループと異なる
インフラストラクチャ機器。
段落４１．
段落４０に記載のインフラストラクチャ機器であって、
上記シグナリング情報は、上記同期信号ブロックの基数を表す同期信号ブロック時間インデックスを含む
インフラストラクチャ機器。
段落４２．
無線通信ネットワークの無線ネットワーク部の一部を構成するためのインフラストラクチャ機器から情報を送信する方法であって、上記方法は
同期シーケンスを搬送する１以上の直交周波数分割多重（ＯＦＤＭ）シンボルと、上記無線アクセスインターフェースの物理ブロードキャストチャネルの情報を搬送する１以上の他のＯＦＤＭシンボルを含む同期信号ブロックを形成し、
上記物理ブロードキャストチャネルによって提供された上記ブロードキャスト情報を受信するために上記１以上の無線通信デバイスに上記同期信号ブロックを送信することを含み、
上記同期ブロックの各ＯＦＤＭシンボルは上記ＯＦＤＭシンボルの持続期間中に上記無線アクセスインターフェースのリソースエレメントにおいて送信された複数の周波数領域サブキャリア信号によって構成され、上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成される、
方法。
段落４３．
段落４２に記載の方法であって、
上記同期信号を搬送するＯＦＤＭシンボルと上記物理ブロードキャストチャネル情報を搬送する上記１以上のＯＦＤＭシンボルとが少なくとも部分的に上記周波数領域において重複し、それにより、同期信号を搬送するＯＦＤＭシンボルにおいて同期シーケンスにより変調されたサブキャリアと上記物理ブロードキャストチャネル情報を搬送する１以上のＯＦＤＭシンボルの１以上の重複部分の１以上の周波数領域を構成するために１以上のサブキャリアが同じ周波数で送信され、上記同期信号を搬送するＯＦＤＭシンボルにおいて上記同期シーケンスにより変調されたサブキャリアの周波数とは異なる周波数で１以上の非重複部分が送信される周波数領域を上記物理ブロードキャストチャネル情報を搬送する１以上のＯＦＤＭシンボルの１以上の他のサブキャリアが構成する
方法。
段落４４．
段落４３に記載の方法であって、
上記物理ブロードキャストチャネル情報を搬送する１以上のＯＦＤＭシンボルの１以上の重複部分は復調参照シンボルを含まないが、上記１以上の非重複部分は上記物理ブロードキャストチャネル情報を搬送する１以上のＯＦＤＭシンボルによって搬送された上記復調参照シンボルを含む
方法。
段落４５．
段落４３に記載の方法であって、
上記物理ブロードキャストチャネル情報を搬送する１以上のＯＦＤＭシンボルの１以上の重複部分と１以上の非重複部分は両方とも復調参照シンボルを含む
方法。
段落４６．
段落４３に記載の方法であって、
上記復調参照シンボルは、上記物理ブロードキャストチャネル情報を搬送する１以上のＯＦＤＭシンボルのそれぞれにおいて上記１以上の重複部分と上記１以上の非重複部分で異なるように割り当てられる
方法。
段落４７．
段落４２に記載の方法であって、
上記復調参照シンボルの第１のグループはシグナリング情報を搬送し、上記復調参照シンボルの第２のグループは既知のシーケンスを搬送し、上記既知のシーケンスは上記１以上の無線通信デバイスと上記インフラストラクチャ機器の両方にとって既知であり、上記復調参照シンボルの第１のグループは上記復調参照シンボルの第２のグループと異なる
方法。
段落４８．
段落４７に記載の方法であって、
上記シグナリング情報は、上記同期信号ブロックの基数を表す同期信号ブロック時間インデックスを含む
方法。
段落４９．
ユーザ機器回路であって、上記ユーザ機器回路は
無線アクセスインターフェースを介して上記無線通信ネットワークの無線ネットワーク部を構成するインフラストラクチャ機器に無線信号を送信するように構成された送信回路と、
上記無線アクセスインターフェースを介して上記インフラストラクチャ機器から送信された無線信号を受信するように構成された受信回路と、
上記無線信号によって搬送されたデータを上記インフラストラクチャ機器に送信し、上記無線信号によって搬送されたデータを上記インフラストラクチャ機器から受信するように上記送信回路と上記受信回路を制御するように構成された制御回路を含み、
上記制御回路は上記受信回路と共に
上記無線アクセスインターフェースを介して上記インフラストラクチャ機器によって送信された同期信号ブロックであって、同期シーケンスを搬送する１以上の直交周波数分割多重（ＯＦＤＭ）シンボルと、上記無線アクセスインターフェースの物理ブロードキャストチャネルの情報を搬送する１以上の他のＯＦＤＭシンボルを含む同期信号ブロックを検出し、
検出した上記同期信号ブロックが通過したチャネル伝達関数の推定値を生成し、
上記無線アクセスインターフェースの物理ブロードキャストチャネルの情報を搬送する１以上の他のＯＦＤＭシンボルを等化するため、推定された上記チャネル伝達関数を用いて上記物理ブロードキャストチャネル情報を復号するように構成され、
上記同期ブロックの各ＯＦＤＭシンボルは上記ＯＦＤＭシンボルの持続期間中にそれぞれ上記無線アクセスインターフェースのリソースエレメントとして送信される複数の周波数領域サブキャリア信号によって構成され、上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれ復調参照シンボルを含むように構成され、
上記受信回路は、上記同期信号の上記同期シーケンスを搬送するＯＦＤＭシンボルのリソースエレメントと、上記物理ブロードキャストチャネル情報を搬送するＯＦＤＭシンボルで受信された上記復調参照シンボルの一方または両方を用いて、上記チャネル伝達関数の推定値を生成するように構成される
ユーザ機器回路。
段落５０．
無線通信ネットワークを介してデータの送受信を行う無線通信デバイスであって、上記無線通信デバイスは、
無線アクセスインターフェースを介して上記無線通信ネットワークの無線ネットワーク部を構成するインフラストラクチャ機器に無線信号を送信するように構成された送信回路と、
上記無線アクセスインターフェースを介して上記インフラストラクチャ機器から送信された無線信号を受信するように構成された受信回路と、
上記無線信号によって搬送されたデータを上記インフラストラクチャ機器に送信し、上記無線信号によって搬送されたデータを上記インフラストラクチャ機器から受信するように上記送信回路と上記受信回路を制御するように構成された制御回路を含み、
上記制御回路は上記受信回路と共に
上記無線アクセスインターフェースを介して上記インフラストラクチャ機器によって送信された同期信号ブロックであって、同期シーケンスを搬送する１以上の直交周波数分割多重（ＯＦＤＭ）シンボルと、上記無線アクセスインターフェースの物理ブロードキャストチャネルの情報を搬送する１以上の他のＯＦＤＭシンボルを含む同期信号ブロックを検出し、
復調参照シンボルの第２のグループによって搬送された既知のシーケンスを用いて検出した上記同期信号ブロックが通過したチャネル伝達関数の推定値を生成し、
上記チャネル伝達関数の第１の推定値を用いて復調参照シンボルの第１のグループを復調し、
上記物理ブロードキャストチャネル情報を搬送するＯＦＤＭシンボルで受信された上記復調参照シンボルの第１のグループと上記復調参照信号の第２のグループと上記同期信号の同期シーケンスを搬送するＯＦＤＭシンボルのリソースエレメントを用いて上記チャネル伝達関数の第２の推定値を生成し、
上記無線アクセスインターフェースの物理ブロードキャストチャネルの情報を搬送する１以上の他のＯＦＤＭシンボルを等化するため、推定された上記チャネル伝達関数を用いて上記物理ブロードキャストチャネル情報を復号するように構成され、
上記同期ブロックの各ＯＦＤＭシンボルは上記ＯＦＤＭシンボルの持続期間中にそれぞれ上記無線アクセスインターフェースのリソースエレメントとして送信される複数の周波数領域サブキャリア信号によって構成され、上記同期信号ブロックの各ＯＦＤＭシンボルは同じサブキャリア間隔を有し、上記無線アクセスインターフェースの物理ブロードキャストチャネルの情報を搬送する１以上の他のＯＦＤＭシンボルはそれぞれシグナリング情報を搬送する復調参照シンボルの第１のグループと既知のシーケンスを搬送する復調参照シンボルの第２のグループを含むように構成され、上記既知のシーケンスは上記無線通信デバイスと上記インフラストラクチャ機器の両方にとって既知であり、上記復調参照シンボルの第１のグループは上記復調参照シンボルの第２のグループと異なる
無線通信デバイス。
【００５５】
上記の教示に照らして本開示の多数の修正および変形が可能である。したがって、添付の特許請求の範囲内で、本開示が、本明細書に具体的に記載したものと異なる方法で実践され得ることが理解されるべきである。
【００５６】
本開示の実施形態は、ソフトウェア制御型データ処理装置によって、少なくとも部分的に実施されるものとして記載する限りにおいて、そのようなソフトウェアを有する光ディスク、磁気ディスク、半導体メモリ等の非一過性の機械可読媒体も本開示の一実施形態を表すと考えられることが理解される。
【００５７】
上述の記載においては、説明を明確にするために、異なる実施形態に関して異なる機能的ユニット、回路、および／またはプロセッサを参照しつつ説明したことに留意されたい。しかし、異なる機能的ユニット、回路、および／またはプロセッサの間において、実施形態に悪影響を与えずに任意の適切な機能分担を採用できることは明らかである。
【００５８】
記載された実施形態は、ハードウェア、ソフトウェア、ファームウェア、またはこれらの任意の組み合わせを含む任意の適切な形態において実施されてよい。記載された実施形態は、１つ以上のデータプロセッサおよび／またはデジタル信号プロセッサ上で実行するコンピュータソフトウェアとして少なくとも部分的に、必要に応じて、実施されてよい。任意の実施形態の要素および構成要素は、任意の適切な方法において物理的に、機能的に、および論理的に実施されてよい。実際、そうした機能は単一のユニット、複数のユニット、または他の機能的ユニットの一部として実施されてもよい。従って、本明細書で開示された実施形態は単一のユニットにおいて実施されてもよく、様々なユニット、回路、および／またはプロセッサ間で物理的および機能的に割り当てられてもよい。
【００５９】
本開示はいくつかの実施形態に関連して記載されているが、本明細書において記載された特定の形態に限定されることは意図されていない。さらに、ある特徴が特定の実施形態に関連して記載されているように理解し得るものであるが、当業者は、記載された実施形態の様々な特徴が、本技術を実施するのに適した任意の方法において組み合わされてもよいことを認識する。
【図１】
2020519163.tif 000003
【図２】
2020519163.tif 000004
【図３】
2020519163.tif 000005
【図４】
2020519163.tif 000006
【図５】
2020519163.tif 000007
【図６】
2020519163.tif 000008
【図７】
2020519163.tif 000009
【図８】
2020519163.tif 000010
【図９】
2020519163.tif 000011
【図１０】
2020519163.tif 000012
【図１１】
2020519163.tif 000013
【国際調査報告】
2020519163.tif 000014
2020519163.tif 000015
2020519163.tif 000016